(57)【要約】  本発明は、広帯域光を送達するのに適した送達ファイバ・アセンブリであって、送達ファイバおよびコネクタ部材を備える送達ファイバ・アセンブリを含む。送達ファイバは、長さと、光を入射するための入力端と、光を送達するための送達端とを有する。送達ファイバは、その長さに沿って、コア領域と、コア領域を包囲するクラッド領域とを備え、クラッド領域は、屈折率Ｎｂｇを有するクラッド・バックグラウンド材料と、最大でＮｉｎｃの屈折率を有し、送達ファイバの長手軸の長さに延びる固体材料の介在物の形態の複数の微細構造物とを備え、Ｎｉｎｃ＜Ｎｂｇである。クラッド領域内の複数の介在物は、コア領域を包囲する介在物の少なくとも２つのリングを備える断面パターンに配置される。コネクタ部材は、送達端を備える送達ファイバの送達端部分において送達ファイバに対して取り付けられる。送達ファイバは、約２００ｎｍ以上の伝送帯域幅を有する。
2018527601.tif 000002
【特許請求の範囲】
【請求項１】
広帯域光を送達するのに適した送達ファイバ・アセンブリであって、前記送達ファイバ・アセンブリは、送達ファイバおよびコネクタ部材を備え、前記送達ファイバは、長さと、光を入射するための入力端と、光を送達するための送達端とを有し、前記送達ファイバは、その長さに沿って、コア領域と、前記コア領域を包囲するクラッド領域とを備え、前記クラッド領域は、屈折率Ｎｂｇを有するクラッド・バックグラウンド材料と、最大でＮｉｎｃの屈折率を有し、前記送達ファイバの長手軸の長さに延びる固体材料の介在物の形態の複数の微細構造物とを備え、Ｎｉｎｃ＜Ｎｂｇであり、前記クラッド領域内の前記複数の介在物は、前記コア領域を包囲する介在物の少なくとも２つのリングを備える断面パターンに配置され、前記コア領域は、最大で約１５μｍの直径を有し、前記コネクタ部材は、前記送達端を備える前記送達ファイバの送達端部分において前記送達ファイバに対して取り付けられ、前記送達ファイバは、約３００ｎｍ以上など、約４００ｎｍ以上など、約５００ｎｍ以上など、約２００ｎｍ以上の伝送帯域幅を有する、送達ファイバ・アセンブリ。
【請求項２】
前記コネクタ部材は、前記送達端に対して距離を置いて、前記送達ファイバの前記送達端部分において前記送達ファイバに対して取り付けられ、したがって、前記送達端は、前記送達端を受信導波路と物理的に接触して接続するために前記コネクタ部材を通過しており、好ましくは、前記受信導波路は、照明および／または計測および／または手術のための装置に組み込まれた受信ファイバなどの受信ファイバである、請求項１に記載の送達ファイバ・アセンブリ。
【請求項３】
前記伝送帯域幅内の少なくとも１つの波長について、前記送達端部分に少なくとも沿った前記送達ファイバは、一定のモード・フィールド径を有し、好ましくは、前記送達端部分に少なくとも沿った前記送達ファイバは、前記伝送帯域幅内の波長プロファイルに対して一定のモード・フィールド径を有する、請求項１または２に記載の送達ファイバ・アセンブリ。
【請求項４】
前記送達端部分に少なくとも沿った前記送達ファイバは、伝送波長についてモード・フィールド径範囲を有し、前記モード・フィールド径範囲は、前記範囲の最低モード・フィールド径の、約２０％以下など、約１５％以下など、約１０％以下など、約３０％以下である、請求項１乃至３のいずれか１項に記載の送達ファイバ・アセンブリ。
【請求項５】
前記伝送帯域幅内の少なくとも１つの波長について、前記送達端部分に少なくとも沿った前記送達ファイバは、一定の開口数ＮＡ、約０．２ｄＢ／ｍ未満など、０．５ｄＢ／ｍ未満の伝播損失を有する、請求項１乃至４のいずれか１項に記載の送達ファイバ・アセンブリ。
【請求項６】
前記送達ファイバは、前記伝送帯域幅内の少なくとも１つの波長についてのシングル・モードであり、好ましくは、前記送達ファイバは、前記伝送帯域幅の少なくとも約８０％など、前記送達ファイバの伝送帯域幅全体など、前記送達ファイバの伝送帯域幅の少なくとも約５０％についてシングル・モードである、請求項１乃至５のいずれか１項に記載の送達ファイバ・アセンブリ。
【請求項７】
前記送達ファイバは、偏波保持光ファイバ（ＰＭファイバ）であり、好ましくは、前記送達ファイバは、１つまたは複数の応力要素を備える、請求項１乃至６のいずれか１項に記載の送達ファイバ・アセンブリ。
【請求項８】
前記コア領域は、約３μｍから約８μｍなど、約４μｍから約６μｍなど、最大で約１
０μｍの直径を有し、好ましくは、前記コア領域は、好ましくは前記送達ファイバの前記長さの少なくとも約８０％に沿ってなど、前記送達ファイバの大部分に沿って実質的に同一の直径を有する、請求項１乃至７のいずれか１項に記載の送達ファイバ・アセンブリ。
【請求項９】
前記コア領域の直径は、前記送達ファイバの前記長さに沿って実質的に同一であり、任意選択で前記送達ファイバの１つまたは複数のコンポーネント部を除外して実質的に同一である、請求項１乃至８のいずれか１項に記載の送達ファイバ・アセンブリ。
【請求項１０】
前記送達ファイバは、約０．３から約０．６５など、約０．４から約０．６など、約０．７以下であるコア領域直径対ピッチｄ／Λを有する、請求項１乃至９のいずれか１項に記載の送達ファイバ・アセンブリ。
【請求項１１】
前記クラッド領域内の前記複数の介在物は、前記コア領域を包囲する介在物の少なくとも５つのリングなど、前記コア領域を包囲する介在物の少なくとも４つのリングを備える断面パターンに配置され、介在物の前記リングは、ピッチ・パターン、２倍ピッチ・パターン、３倍ピッチ・パターン、半ピッチ・パターン、またはこれらの組合せで配置され、ピッチは、前記コア領域と介在物との間の最小の中心間距離として決定される、請求項１乃至１０のいずれか１項に記載の送達ファイバ・アセンブリ。
【請求項１２】
前記コア領域は、屈折率Ｎｃｏｒｅを有し、前記クラッド領域は、実効屈折率Ｎｃｌａｄを有し、前記クラッド・バックグラウンド材料の前記屈折率Ｎｂｇは、前記コア領域の前記屈折率Ｎｃｏｒｅと実質的に同一である、請求項１乃至１１のいずれか１項に記載の送達ファイバ・アセンブリ。
【請求項１３】
前記送達ファイバは、シリカ・ファイバであり、前記固体介在物は、ダウン・ドープされたシリカであり、好ましくは、互いに独立した前記固体介在物が、フッ素ならびに／またはホウ素ならびに／またはＦおよび／もしくはＢ原子を備える成分のうちの少なくとも１つでドープされたシリカであり、好ましくは、前記伝送帯域幅内の少なくとも１つの波長についての、互いに独立した前記固体介在物が、約１０−３から約１０−２の、前記クラッド・バックグラウンド材料の前記屈折率Ｎｂｇに対する屈折率差を有する、請求項１乃至１２のいずれか１項に記載の送達ファイバ・アセンブリ。
【請求項１４】
前記介在物は、実質的に同一の屈折率Ｎｉｎｃを有する、請求項１乃至１３のいずれか１項に記載の送達ファイバ・アセンブリ。
【請求項１５】
前記介在物のうちのｎ個が、異なる屈折率Ｎｉｎｃ（ｎ）を有し、ｎは、１０以下など、２〜４など、介在物の個数以下の整数である、請求項１乃至１０のいずれか１項に記載の送達ファイバ・アセンブリ。
【請求項１６】
介在物のリングの前記介在物は、異なる屈折率を有する２つ以上の介在物を備える、請求項１５に記載の送達ファイバ・アセンブリ。
【請求項１７】
介在物のリングの前記介在物は、実質的に同一の屈折率を有し、任意選択で、介在物のあるリングの介在物は、介在物の別のリングの介在物と異なる屈折率を有し、好ましくは、介在物の前記あるリングの前記介在物は、前記コア領域により近い介在物の別のリングの前記介在物よりも高い屈折率を有する、請求項１５に記載の送達ファイバ・アセンブリ。
【請求項１８】
前記固体介在物は、等しいまたは異なる直径を有し、好ましくは、前記直径は、約３μｍ以下など、約０．２μｍから約１μｍなど、約０．４〜０．８μｍなど、約５μｍ以下
である、請求項１乃至１７のいずれか１項に記載の送達ファイバ・アセンブリ。
【請求項１９】
前記送達ファイバは、すべて固体のファイバであり、好ましくは、前記送達ファイバは、すべてシリカ・ファイバであり、前記コア領域、前記クラッド領域、および／または前記介在物は、それぞれの屈折率に達するようにドープされる、請求項１乃至１８のいずれか１項に記載の送達ファイバ・アセンブリ。
【請求項２０】
前記送達ファイバの前記伝送帯域幅は、約４００ｎｍから９００ｎｍの範囲内の波長を備え、好ましくは、前記送達ファイバの前記伝送帯域幅は、少なくとも約２００ｎｍの帯域幅など、少なくとも約３００ｎｍの帯域幅など、少なくとも約４００ｎｍの帯域幅など、約４００ｎｍから９００ｎｍなど、少なくとも約１００ｎｍの帯域幅の前記範囲内の帯域幅全体を備える、請求項１乃至１９のいずれか１項に記載の送達ファイバ・アセンブリ。
【請求項２１】
前記送達ファイバの前記伝送帯域幅は、７００ｎｍ未満など、６００ｎｍ未満など、５００ｎｍ未満など、８００ｎｍ未満の波長を備える、請求項２０に記載の送達ファイバ・アセンブリ。
【請求項２２】
前記送達ファイバの前記伝送帯域幅は、約１１００ｎｍから２４００ｎｍの範囲内の波長を備え、好ましくは、前記送達ファイバの前記伝送帯域幅は、少なくとも約２００ｎｍの帯域幅など、少なくとも約３００ｎｍの帯域幅など、少なくとも約４００ｎｍの帯域幅など、約１１００ｎｍから２４００ｎｍなど、少なくとも約１００ｎｍの帯域幅の範囲内の帯域幅全体を備える、請求項１乃至２１のいずれか１項に記載の送達ファイバ・アセンブリ。
【請求項２３】
前記送達ファイバは、約１０ｃｍから約３０ｍなど、約２０ｃｍから約２０ｍなど、約３０ｃｍから約１０ｍなど、約５ｃｍから約１００ｍの長さを有する、請求項１乃至２２のいずれか１項に記載の送達ファイバ・アセンブリ。
【請求項２４】
前記送達ファイバは、少なくとも１つのコンポーネント部を備え、前記コンポーネント部は、前記送達ファイバからの光を分離し、および／または前記送達ファイバ内へ光を組み合わせるように構成され、前記コンポーネント部は、好ましくは、すべてファイバのコンポーネント部である、請求項１乃至２３のいずれか１項に記載の送達ファイバ・アセンブリ。
【請求項２５】
前記アセンブリは、融着カプラを備え、前記融着カプラは、前記コンポーネント部において前記送達ファイバに対して融着され、任意選択で光を前記送達ファイバ内へ結合する、請求項１９に記載の送達ファイバ・アセンブリ。
【請求項２６】
前記アセンブリは、融着スプリッタを備え、前記融着スプリッタは、前記送達ファイバからの光の一部分を分離するために、前記コンポーネント部において前記送達ファイバに対して融着され、好ましくは、分離された前記光の部分は、前記光のパワーに対して５〜９５％を構成し、分離された前記光の部分は、それが分離された前記光の部分の波長プロファイルと実質的に同一の波長プロファイルを有する、請求項１９または２０に記載の送達ファイバ・アセンブリ。
【請求項２７】
前記融着スプリッタは、光を送達するためのツイン送達ファイバを備え、前記ツイン送達ファイバは、ツイン送達端と、少なくとも前記コンポーネント部から前記ツイン送達端に延びる長さとを備え、その長さに沿って、コア領域と、前記コア領域を包囲するクラッド領域とを備え、前記クラッド領域は、屈折率ＴＮｂｇを有するクラッド・バックグラウ
ンド材料と、最大でＮｉｎｃの屈折率を有し、前記ツイン送達ファイバの前記長さに延びる固体材料の介在物の形態の複数の微細構造物とを備え、ＴＮｉｎｃ＜ＴＮｂｇであり、前記クラッド領域内の前記複数の介在物は、前記コア領域を包囲する介在物の少なくとも２つのリングを備える断面パターンに配置され、好ましくは、ツイン・コネクタ部材が、前記ツイン送達端を備える前記ツイン送達ファイバのツイン送達端部分において前記ツイン送達ファイバに対して取り付けられる、請求項２１に記載の送達ファイバ・アセンブリ。
【請求項２８】
前記アセンブリは、融着カプラおよび融着スプリッタを備え、前記融着スプリッタは、第１のコンポーネント部において前記送達ファイバに対して融着され、前記融着カプラは、前記送達ファイバの前記送達端により近い第２のコンポーネント部において前記送達ファイバに対して融着され、前記融着スプリッタおよび融着カプラは、ループ・ファイバを備え、前記ループ・ファイバは、前記スプリッタによって分離され前記カプラによって前記送達ファイバ内に再結合される光パルス部分を遅延するように構成され、分離され再結合された光パルス部分は、それが分離された元の光パルス部分に対して遅延される、請求項１９乃至２１のいずれか１項に記載の送達ファイバ・アセンブリ。
【請求項２９】
前記アセンブリは、入力端コネクタ部材を備え、前記入力端コネクタ部材は、前記入力端を備える前記送達ファイバの入力端部分において前記送達ファイバに対して取り付けられ、前記コネクタ部材は、好ましくは、前記入力端を光入射ユニットと物理的に接触して接続するように構成される、請求項１乃至２８のいずれか１項に記載の送達ファイバ・アセンブリ。
【請求項３０】
前記アセンブリは、前置送達ファイバを備え、前記前置送達ファイバは、自由空間光通信なしに前記送達ファイバに結合される、請求項１乃至２９のいずれか１項に記載の送達ファイバ・アセンブリ。
【請求項３１】
前記前置送達ファイバは、前記送達ファイバに結合され、任意選択で、接合によって接続され、好ましくは、モード・フィールド径、開口数、低伝播損失、または伝送帯域幅から選択される１つまたは複数のガイド特性が、前記前置送達ファイバから前記送達ファイバまで実質的に変更されない、接合によって接続される、請求項２５に記載の送達ファイバ・アセンブリ。
【請求項３２】
光を装置に対して供給するための広帯域源であって、
ポンプ・パルスを生成するように動作可能な光ポンプ源と、
ポンプ光の供給があると広帯域光パルスを生成するための微細構造光ファイバと、
前記広帯域光パルスの少なくともいくつかの少なくとも部分を受け取り、前記広帯域光パルスの前記受け取られた部分の少なくとも一部を前記装置に対して送達するように配置された送達ファイバと、
を備え、
前記光ポンプ源は、ポンプ・パルスを前記微細構造光ファイバに対して入射するように配置され、前記送達ファイバは、長さと、光を入射するための入力端と、光を送達するための送達端とを有し、前記送達ファイバは、その長さに沿って、コア領域と、前記コア領域を包囲するクラッド領域とを備え、前記コア領域は、最大で約１５μｍの直径を有し、前記クラッド領域は、屈折率Ｎｂｇを有するクラッド・バックグラウンド材料と、最大でＮｉｎｃの屈折率を有し、前記送達ファイバの長手軸の長さに延びる固体材料の介在物の形態の複数の微細構造物とを備え、Ｎｉｎｃ＜Ｎｂｇであり、前記クラッド領域内の前記複数の介在物は、前記コア領域を包囲する介在物の少なくとも２つのリングを備える断面パターンに配置され、好ましくは、前記送達ファイバは、約３００ｎｍ以上など、約４００ｎｍ以上など、約５００ｎｍ以上など、約２００ｎｍ以上の伝送帯域幅を有する、広帯
域源。
【請求項３３】
前記伝送帯域幅内の少なくとも１つの波長について、前記送達ファイバは、前記送達端部分に少なくとも沿って一定のモード・フィールド径を有し、好ましくは、前記送達ファイバは、前記送達端部分に少なくとも沿って、前記伝送帯域幅内の波長プロファイルに対して実質的に一定のモード・フィールド径を有する、請求項３２に記載の広帯域源。
【請求項３４】
前記送達ファイバは、前記伝送帯域幅内の少なくとも１つの波長についてのシングル・モードであり、好ましくは、前記送達ファイバは、前記伝送帯域幅の波長の少なくとも約８０％など、前記送達ファイバの伝送帯域幅全体など、前記伝送帯域幅の波長の少なくとも約５０％についてシングル・モードであり、前記送達ファイバは、好ましくは、およそ少なくともオクターブの伝送帯域幅を有する、請求項３２または３３に記載の広帯域源。
【請求項３５】
前記送達は、偏波保持光ファイバ（ＰＭファイバ）であり、好ましくは、前記送達ファイバは、１つまたは複数の応力要素を備える、請求項３２乃至３４のいずれか１項に記載の広帯域源。
【請求項３６】
前記クラッド領域内の前記複数の介在物は、前記コア領域を包囲する介在物の少なくとも５つのリングなど、前記コア領域を包囲する介在物の少なくとも４つのリングを備える断面パターンに配置され、介在物の前記リングは、ピッチ・パターン、２倍ピッチ・パターン、３倍ピッチ・パターン、半ピッチ・パターン、またはこれらの組合せで配置され、ピッチは、前記コア領域と介在物との間の最小の中心間距離として決定される、請求項３２乃至３５のいずれか１項に記載の広帯域源。
【請求項３７】
前記送達ファイバは、約０．３から約０．６５など、約０．４から約０．６など、約０．７以下であるコア領域直径対ピッチｄ／Λを有する、請求項３２乃至３６のいずれか１項に記載の広帯域源。
【請求項３８】
前記コア領域は、屈折率Ｎｃｏｒｅを有し、前記クラッド領域は、実効屈折率Ｎｃｌａｄを有し、前記クラッド・バックグラウンド材料の前記屈折率Ｎｂｇは、前記コア領域の前記屈折率Ｎｃｏｒｅと実質的に同一である、請求項３２乃至３７のいずれか１項に記載の広帯域源。
【請求項３９】
前記送達ファイバは、シリカ・ファイバであり、前記固体介在物は、ダウン・ドープされたシリカであり、好ましくは、互いに独立した前記固体介在物が、フッ素ならびに／またはホウ素ならびに／またはＦおよび／もしくはＢ原子を備える成分のうちの少なくとも１つでドープされたシリカである、請求項３２乃至３８のいずれか１項に記載の広帯域源。
【請求項４０】
前記送達ファイバは、内側クラッド領域と外側クラッド領域とを備えるダブル・クラッド・ファイバであり、前記外側クラッド領域内の前記介在物は、前記内側クラッド領域内の前記介在物よりも高い屈折率を有し、好ましくは、前記内側クラッド領域は、少なくともＮｉｎｃの屈折率を有する固体材料の介在物の前記少なくとも２つのリングを備え、前記外側クラッド領域は、前記内側クラッド領域よりも高い実効屈折率を有する、請求項３２乃至３９のいずれか１項に記載の広帯域源。
【請求項４１】
前記送達ファイバは、請求項１乃至３１のいずれか１項に記載の送達ファイバ・アセンブリの形態である、請求項３２乃至４０のいずれか１項に記載の広帯域源。
【請求項４２】
前記光ポンプ源は、モード・ロック・ファイバ・オシレータ、および好ましくは少なく
とも１つの増幅器を備える、請求項３２乃至４１のいずれか１項に記載の広帯域源。
【請求項４３】
孔を備える前記微細構造光ファイバは、自由空間光通信の使用なしに前記送達ファイバに接続される、請求項３２乃至４２のいずれか１項に記載の広帯域源。
【請求項４４】
前記微細構造光ファイバは、突合せ接続によって前記送達ファイバに接続される、請求項３２乃至４３のいずれか１項に記載の広帯域源。
【請求項４５】
前記広帯域源は、前記広帯域光パルスをフィルタリングするためのバンド・パス・フィルタを備え、前記バンド・パス・フィルタは、好ましくは同調可能バンド・パス・フィルタであり、好ましくは、格子ベースのフィルタ、プリズム、または音響光学同調可能フィルタ（ＡＯＴＦ）から選択される、請求項３２乃至４４のいずれか１項に記載の広帯域源。
【請求項４６】
前記バンド・パス・フィルタは、前記微細構造光ファイバと前記送達ファイバとの間に位置付けられる、請求項４５に記載の広帯域源。
【請求項４７】
前記送達ファイバは、前記広帯域光パルスの前記バンド・パスでフィルタリングされた部分を受け取り、前記広帯域光パルスの前記受け取られた部分の前記少なくとも一部を前記装置に対して自由空間光通信なしに送達するように配置される、請求項４６に記載の広帯域源。
【請求項４８】
前記フィルタは、選択的に複数の波長または波長範囲を選択し前記送達ファイバに対して前記選択された波長を送信するように構成された、同調可能光バンド・パス・フィルタである、請求項３２乃至４７のいずれか１項に記載の広帯域源。
【請求項４９】
前記ポンプ源は、ポンプ・パルス繰返し率でポンプ・パルスを生成するように動作可能であり、前記広帯域源は、前記ポンプ源と前記微細構造光ファイバとの間に配置されたパルス・ピッカを備え、前記パルス・ピッカは、前記ポンプ源により生成された前記ポンプ・パルス繰返し率を低減するようにパルスを選出するように動作可能であり、したがって、前記低減されたポンプ・パルス繰返し率が前記微細構造光ファイバに対して入射される、請求項３２乃至４８のいずれか１項に記載の広帯域源。
【請求項５０】
請求項３２乃至４９のいずれか１項に記載の広帯域源を備える広帯域源システムであって、前記広帯域源システムは、異なる送信特性を有する複数の送達ファイバ・アセンブリを備え、前記送達ファイバ・アセンブリの各々は、入力端コネクタ部材および送達端コネクタ部材を備える、広帯域源システム。
【請求項５１】
光を装置に対して供給するためのスペクトル・エンジン源であって、
少なくとも１つの波長と異なる波長を有するレーザ・ビームを放出する２つ以上のレーザと、
マルチプレクサと、
請求項１乃至３１のいずれか１項に記載の送達ファイバと
を備え、
前記マルチプレクサは、前記レーザの各々の前記レーザ・ビームの少なくとも部分を受け取り、前記受け取られた光を多重化ビームにコリメートするように構成され、前記送達ファイバは、前記多重化ビームを受け取り、前記受け取られた多重化ビームの少なくとも一部を前記装置に対して送達するように配置され、前記送達ファイバは、長さと、光を入射するための入力端と、光を送達するための送達端とを有し、前記送達ファイバは、その長さに沿って、コア領域と、前記コア領域を包囲するクラッド領域とを備え、前記コア領
域は、最大で約１５μｍの直径を有し、前記クラッド領域は、屈折率Ｎｂｇを有するクラッド・バックグラウンド材料と、最大でＮｉｎｃの屈折率を有し、前記送達ファイバの長手軸の長さに延びる固体材料の介在物の形態の複数の微細構造物とを備え、Ｎｉｎｃ＜Ｎｂｇであり、前記クラッド領域内の前記複数の介在物は、前記コア領域を包囲する介在物の少なくとも２つのリングを備える断面パターンに配置され、好ましくは、前記送達ファイバは、前記２つ以上のレーザの各々の前記波長の少なくとも一部を備える波長を備える伝送帯域幅を有する、スペクトル・エンジン源。
【請求項５２】
前記２つ以上のレーザから放出される前記レーザ・ビームのうちの少なくとも１つは、約２５ｎｍ以下など、約５ｎｍ以下など、約５０ｎｍ以下の帯域幅を有する、請求項５０に記載のスペクトル・エンジン源。
【請求項５３】
前記２つ以上のレーザから放出される前記レーザ・ビームのうちの１つは、５００ｎｍ未満の少なくとも１つの波長を備え、前記２つ以上のレーザから放出される前記レーザ・ビームのうちの１つは、８００ｎｍを上回る少なくとも１つの波長を備える、請求項５１または５２に記載のスペクトル・エンジン源。
【請求項５４】
前記スペクトル・エンジン源は、少なくとも３つのレーザを備え、前記レーザのうちの第１のレーザは、４５０ｎｍ未満の少なくとも１つの波長を備えるレーザ・ビームを放出するように適合され、前記レーザのうちの第２のレーザは、５００ｎｍから７００ｎｍまでの範囲の少なくとも１つの波長を備えるレーザ・ビームを放出するように適合され、前記レーザのうちの第３のレーザは、８００ｎｍを上回る少なくとも１つの波長を備えるレーザ・ビームを放出するように適合される、請求項５１乃至５３のいずれか１項に記載のスペクトル・エンジン源。
【請求項５５】
請求項３２乃至４９のいずれか１項に記載の広帯域源、請求項５１乃至５４のいずれか１項に記載のスペクトル・エンジン源、または請求項５０に記載の広帯域源システムを備える装置であって、前記装置は、前記送達ファイバから光を受け取るように配置された光導波路を備え、前記光導波路は、前記送達ファイバの前記送達端のコネクタ部材と嵌合されるように構成されたコネクタ部材を備え、前記光導波路は、好ましくは光ファイバである、装置。
【請求項５６】
前記装置は、ターゲットを照明するように構成された照明装置であり、前記照明装置は、好ましくは、顕微鏡、分光器、または内視鏡から選択される、請求項５５に記載の装置。
【請求項５７】
前記照明源は、蛍光イメージング；蛍光寿命イメージング（ＦＬＩＭ）；全内部反射蛍光（ＴＩＲＦ）顕微鏡；蛍光共鳴エネルギー移動（ＦＲＥＴ）；パルス・インターリーブ励起促進共鳴エネルギー移動（ＰＩＥ−ＦＲＥＴ）；広帯域分光法；ナノフォトニクス；フロー・サイトメトリー；計測などの工業検査；ガス検知などのリングダウン分光法；ハイパースペクトル分光法、作物分析（たとえば果物の）、飛行時間分光法（ＴＣＳＰＣ）などの分析分光法；１分子イメージング；および／またはこれらの組合せに対して適合される、請求項５５または５６に記載の装置。
【請求項５８】
前記装置は、計測装置であり、前記装置は、好ましくは、照明されたターゲットからの信号を収集するように構成されたダブル・クラッド送達ファイバを備える、請求項５５乃至５６のいずれか１項に記載の装置。
【請求項５９】
前記装置は、融着カプラを備える少なくとも１つの送達ファイバ・アセンブリ、および／または融着スプリッタを備える少なくとも１つの送達ファイバ・アセンブリを備える、
請求項５５乃至５８のいずれか１項に記載の装置。
【発明の詳細な説明】
【技術分野】
【０００１】
本発明は、広帯域源および広帯域源システムからの光を送達するのに適した送達ファイバ、およびそのような広帯域源を備える装置に関する。
【背景技術】
【０００２】
広帯域源およびシステムは、当技術分野で知られており、たとえば、特許文献１、特許文献２、および特許文献３に説明されている。
特許文献２は、微細構造光ファイバおよびポンプ光源を備えるスーパーコンティニューム光源を開示しており、微細構造光ファイバは中間テーパ部分を備えている。
【０００３】
それにより、非常に広く安定した光のスーパーコンティニュームが得られる。
特許文献４は、ポンプ源と、スーパーコンティニュームを生成するための生成ファイバとを備えるスーパーコンティニューム光源を開示しており、生成ファイバのコアの屈折率プロファイルが、光のモード・クリーニング（ｍｏｄａｌ  ｃｌｅａｎｉｎｇ）を可能にするように配置され、それが伝播して、比較的高いスペクトル密度および／または良好なビーム品質を有する光学的スーパーコンティニュームを提供する。
【０００４】
一般に、ほとんどの従来技術では、広帯域源は、高品質のスーパーコンティニューム光、および／またはますます広い帯域幅に及ぶスーパーコンティニューム光、たとえば、さらに青色波長（たとえば４５０ｎｍ未満もしくはさらに低い）へと及ぶスーパーコンティニュームの生成に焦点を当てている。
【０００５】
生成された光またはその一部分が、しばしば、高精度照明手順および／または高精度測定手順で使用され、たとえば、誘導放出抑制、蛍光イメージング手順、光コヒーレンス・トモグラフィ（ＯＣＴ）、および／または計測などの工業検査のために使用される。
【０００６】
通常、広帯域源によって生成された光または光の一部分は、照明装置、および／または装置の測定プロセスで使用するための測定装置などの装置に対して、送達ファイバを介して送信される。一般に、送達ファイバは、装置に対して接続するのに簡易であることが望ましく、当技術分野において、規格ＩＥＣ６１７５４−２０、ＩＥＣ６１７５４−１５、またはＩＥＣ６１７５４−１３によるコネクタなどの規格コネクタを使用することがよく知られている。
【０００７】
従来技術の送達ファイバは、通常、比較的非常に狭い伝送帯域幅を有するステップ形ファイバである。そのようなファイバは、扱いが容易で、コネクタ化が容易で、伝送損失が低いためである。より広い帯域幅を送信できるようにするために、送達ファイバが導入されるように断面に気孔を有するフォトニック結晶ファイバ（ＰＣＦ）の使用が提案されている。それにより、送達ファイバは、より広い帯域幅を送信できる。しかしながら、概して、そのような孔を有するＰＣＦは接続することが難しく、望ましくないパワー損失をもたらすことがある。
【先行技術文献】
【特許文献】
【０００８】
【特許文献１】欧州特許出願公開第２０８１０７４号
【特許文献２】国際公開第１５００３７１４号
【特許文献３】国際公開第１５００３７１５号
【特許文献４】米国特許第８７３１００９号明細書
【発明の概要】
【発明が解決しようとする課題】
【０００９】
本発明の目的は、広帯域源から、および／または２つ以上の源および広帯域源システムから広帯域光を送達するのに適した送達ファイバ・アセンブリを提供することであり、この送達ファイバ・アセンブリでは、送達ファイバは、装置に対して光を送信するために装置に対して接続するのが簡易であり、上述された問題の少なくとも１つが軽減される。
【００１０】
さらなる目的は、たとえば装置に対して光を送信するために装置に対して接続するのが簡易である送達ファイバを備える、広帯域源および広帯域源システムを提供することであり、上述された問題の少なくとも１つが軽減される。
【課題を解決するための手段】
【００１１】
一実施形態において、目的は、異なる波長を有する２つ以上の光源から送達ファイバによって光を送達することである。
これらおよび他の目的は、特許請求の範囲に規定され、また本明細書で以下に説明される、本発明またはその実施形態によって解決されている。
【００１２】
本発明またはその実施形態は、以下の説明から当業者に明らかとなるいくつかの追加の利点を有することが見出されている。
本発明によれば、波長たとえば広範囲における離散波長を備える広帯域光または広帯域光の選択された部分を送達するために、新しいタイプの送達ファイバを提供することが見出されている。その送達ファイバは、比較的簡易に、効率的方法で、非常に低い損失でコネクタ化され得る。同時に、新規の送達ファイバ・アセンブリは、比較的高い機械的強度を有し、それは実際、非常に有益であることが見出されている。そのような送達ファイバは通常、曲げや乱暴な扱いなどの機械的妨害にさらされるからである。しばしば、送達は、コイル状に巻かれまた展開されることが繰り返され、コイル状に巻く直径が制御されていない。
【００１３】
本発明の送達ファイバ・アセンブリの実施形態において、それは、装置に対して光を送信するために装置に対して広帯域光を送達するように適合される。送達ファイバ・アセンブリは、送達ファイバおよびコネクタ部材を備える。送達ファイバは、長さと、光を入射するための入力端と、光を送達するための送達端とを有する。送達ファイバは、その長さに沿って、コア領域と、コア領域を包囲するクラッド領域とを備え、クラッド領域は、屈折率Ｎｂｇを有するクラッド・バックグラウンド材料と、最大でＮｉｎｃの屈折率を有し、送達ファイバの長手軸の長さに延び、好ましくは送達ファイバの長手軸に沿って延びる固体材料の介在物の形態の複数の微細構造物とを備え、Ｎｉｎｃ＜Ｎｂｇである。クラッド領域内の複数の介在物は、コア領域を包囲する介在物の少なくとも２つのリングを備える断面パターン（送達ファイバの断面で見られるパターン）に配置される。コネクタ部材は、送達端を備える送達ファイバの送達端部分において送達ファイバに対して取り付けられる。さらに、送達ファイバは、約２００ｎｍ以上、たとえば約３００ｎｍ以上、たとえば約４００ｎｍ以上、たとえば約５００ｎｍ以上の伝送帯域幅、たとえば、少なくともオクターブ（周波数の半減／倍増）を有する。
【００１４】
一般に、コア領域は、最大で約１５μｍの直径を有することが望ましい。
一実施形態では、伝送帯域幅は、送達ファイバが０．５ｄＢ／ｍ未満の伝送損失を有する波長として定義される。一実施形態では、伝送帯域幅は、送達ファイバが０．１ｄＢ／ｍ未満の伝送損失を有する波長として定義される。有利には、伝送損失は、１６ｃｍまたは３２ｃｍの曲げ径で曲げられるときに測定される。
【００１５】
これまで、測定および／または照明のための装置に対して広帯域源から光を送達するための送達ファイバとして、固体介在物を備えるすべて固体のファイバの使用が考えられていなかった。特に、そのような固体介在物を備えるすべて固体のファイバが、２００ｎｍ以上の伝送帯域幅を有するように構築され得ることは考えられておらず、特に、固体介在物を備えるすべて固体のファイバが、２００ｎｍ以下、１８００ｎｍ未満、またはさらに９００ｎｍ未満の伝送帯域幅を有するように構築され得ることは驚くべきことである。
【００１６】
用語「介在物」は、バックグラウンド材料内の介在物を意味し、ここで、介在物は、それを包囲するバックグラウンド材料の屈折率と別の屈折率を有する。固体介在物は、たとえば、バックグラウンド材料とは別のガラス・タイプの介在物、および／もしくはドープされた材料（Ｆ、Ｇｅ、Ｐ、Ｂなどの屈折率変更材料）の介在物、真空介在物、あるいはこれらの任意の組合せであり得る。送達ファイバの介在物は、等しいまたは異なる材料または構造のものであり得る。介在物は、均質な材料のものであってよく、あるいは、異なる材料および／または屈折率の領域を有してもよい。介在物は、異なる屈折率のいくつかの領域を備え、介在物の屈折率は、介在物の平均屈折率として決定される。
【００１７】
本出願の文脈では、「介在物のリング」という表現は典型的にはコアに対して実質的に等しい半径方向距離を有し、コアを包囲するリング構成に揃えられた、クラッド介在物を指す。典型的には、介在物のリングは完全には円形でなく、六角形などのように、いくつかのソフトな角度で形成される。好ましくは、介在物のリングのすべての介在物は、実質的に同じサイズであり、好ましくは同じ材料である。
【００１８】
「半径方向距離」という表現は、送達ファイバのコアの長手軸からの半径方向で決定された距離を意味する。
「実質的に」という用語は、本明細書では、通常の製品差異および公差が含まれることを意味すると解釈されるべきである。
【００１９】
コアおよび介在物の直径は、コア／介在物の特性径として決定される。コアまたは介在物は、常に完全に円形であるわけではない。特性径は、それが円形である場合、介在物／コアの円の直径であり、介在物が円形でない場合、特性径は、当該の介在物／コアの最大範囲と最小範囲との平均として決定される。
【００２０】
介在物は、等しいまたは異なる直径を有してよく、それぞれの介在物の介在物直径は、ファイバの長さに沿って前述のように等しくてよくまたは異なってよい。
一実施形態では、送達ファイバの送達端部分が、送達端を備え、コネクタ部材は、送達端に対して取付け距離を置いて取り付けられ、したがって、送達端は、送達端を受信導波路と物理的に接触して接続するようにコネクタ部材を通過しており、好ましくは、受信導波路は、照明および／または計測および／または手術のための装置に組み込まれた受信ファイバなどの受信ファイバである。
【００２１】
ファイバの送達端は、端部ファセットである。送達端に対する取付け距離は通常、数ｍｍであり、たとえば少なくとも２ｍｍ、たとえば最大で２ｃｍ、または好ましくは１ｃｍ未満である。送達端に対する取付け距離は通常、コネクタ部材の構造によって与えられる。好ましくは、コネクタ部材は、規格ＩＥＣ６１７５４−２０、ＩＥＣ６１７５４−１５、もしくはＩＥＣ６１７５４−１３、または同等の規格の少なくとも１つによる規格コネクタ部材などの規格コネクタ部材である。送達端に対する取付け距離は、送達端から、コネクタ部材との最も近い物理的接触までの距離として決定される。コネクタ部材は通常、接続される送達端を同時に保護しながら別のコネクタ部材に嵌合され接続されるために、送達端を超えて延びる接続フランジを有する。装置に接続される前に、送達端は、望ましくは取外し可能なキャップによって保護される。最適な接続のために、送達端は、有利に
は研磨され、任意選択で、端部ファセットでの光の望ましくない反射を低減するために、ファイバの断平面に対して例として最大で６０度、たとえば最大で約３０度、たとえば約３度から１０度、たとえば約８度で角度が付けられたファセットを有するように配置される。広帯域の動作のために、ファセットの角度はしばしば妥協点として選択される。したがって、一般に、望ましくない量の光が反射されないように十分に大きいファセット角度を有し、それにより、大きな量の光がファイバのＮＡ内に収集されるようにすることが望ましい。他方で、ファセット角度は、大きすぎると望ましくない角分散を生じ得るので、有利には大きすぎるべきではない。
【００２２】
一実施形態では、送達ファイバの送達端部分は、ファイバ導波路の構造を変更することなく送達ファイバの送達端がコネクタ化に適するように、コネクタ部材に対して取り付けられる。
【００２３】
本発明によれば、自由空間光通信の使用なしに、すなわちファイバ外部の接続サイトでの伝送なしに、また伝播モードの位相面の望ましくない変更なしに、送達ファイバ・アセンブリの送達ファイバが装置に接続され得ることが見出されている。さらに、送達ファイバ・アセンブリの送達ファイバは、モード・フィールドの望ましくない拡張なしに、装置に接続されることが可能であり、それにより、光の損失が減少されまたは完全に回避される。
【００２４】
一実施形態では、コネクタ部材は、送達端に対して距離を置いて、送達ファイバの送達端部分において送達ファイバに対して取り付けられ、したがって、送達端は、送達端を受信導波路と物理的に接触して接続するようにコネクタ部材を通過しており、好ましくは、受信導波路は、照明および／または計測および／または手術のための装置に組み込まれた受信ファイバなどの受信ファイバである。
【００２５】
コネクタ部材は、好ましくはフェルールを備え、送達端部分は、受信ユニットに結合されるようにフェルールを通過する。
有利には、コネクタ部材は、送達端が受信導波路に物理的に接触され接続され得るように配置され、たとえば、光ファイバは、対応する受信導波路コネクタ部材を備える。
【００２６】
有利には、コネクタ部材は、ばね装荷され、したがって、送達端ファセットは、突合せ結合で受信ファイバに嵌合されることができ、コネクタが嵌合されたときにファイバ面が互いに押圧される。得られたガラス同士の接触は、接合されたファイバ間の空隙によって引き起こされる信号損失を解消する。
【００２７】
一実施形態では、送達ファイバは、その送達端部分に少なくとも沿って、任意選択でファイバの全長に沿って、伝送帯域幅内の少なくとも１つの波長について一定のモード・フィールド径を有し、そこでは、モード・フィールドが拡大するとファイバが光を失う可能性がある。好ましくは、送達端部分は、少なくとも２ｍｍ、好ましくは少なくとも約５ｍｍ、たとえば少なくとも１ｃｍのファイバの長さを備える。好ましくは、送達ファイバは、送達端部分に少なくとも沿って、伝送帯域幅内の波長プロファイルに対して一定のモード・フィールド径を有する。「波長プロファイルに対するモード・フィールド径」という表現は、伝送帯域幅内のそれぞれの波長に対するそれぞれのモード・フィールド径のプロファイルを意味する。それにより、送達ファイバは、最小限の光の損失で使用されるように装置に接続され得る。
【００２８】
送達ファイバのモード・フィールド径は、有利には、望ましい伝送波長帯域幅に依存して選択される。２μｍ未満の波長の波長範囲についてのモード・フィールド径の変化は、驚くほどわずかであることが見出されている。したがって、１００ｎｍの帯域幅では、モ
ード・フィールド径は、最低波長のモード・フィールド径に基づいて、好ましくは１０％未満で変化する。
【００２９】
比較的小さい、すなわち５０μｍ以下のコア領域は、伝送帯域幅に対するモード・フィールド径範囲を狭く維持するために重要なファクタであることが見出されている。したがって、より小さいコア領域を選択することによって、伝送帯域幅のモード・フィールド径範囲がさらに狭くなり得る。さらに、モード・フィールド径の変動は、約９００ｎｍ以下の波長では、より長い波長よりも小さいことが見出されている。
【００３０】
送達ファイバは、モード・フィールド径範囲を選択することによって調整され得る。すなわち、一実施形態では、送達端部分に少なくとも沿った送達ファイバは、伝送波長についてモード・フィールド径範囲を有し、モード・フィールド径範囲は、範囲の最低モード・フィールド径の約３０％以下、たとえば約２０％以下、たとえば約１５％以下、たとえば約１０％以下である、モード・フィールド径範囲は、伝送帯域幅に対応するモード・フィールド径の範囲であり、範囲の最低モード・フィールド径は、伝送帯域幅の最低波長のモード・フィールド径である。
【００３１】
有利には、伝送帯域幅内の少なくとも１つの波長について、送達端部分に少なくとも沿った送達ファイバは、一定の開口数ＮＡ、および０．５ｄＢ／ｍ未満、たとえば約０．２ｄＢ／ｍ未満、たとえば約０．１ｄＢ／ｍ未満、またはさらに約０．０５ｄＢ／ｍ未満の伝播損失を有する。
【００３２】
有利には、送達ファイバは、伝送帯域幅内の少なくとも１つの波長についてのシングル・モードである。一般に、光のビームは、マルチモード光よりもシングル・モード光の品質がはるかに高く、用途によってはシングル・モード光が要件とされる。好ましくは、送達ファイバは、伝送帯域幅の少なくとも約５０％、たとえば少なくとも約８０％、たとえば送達ファイバの伝送帯域幅全体についてのシングル・モードである。
【００３３】
好ましい実施形態では、送達ファイバは、偏波保持光ファイバ（ＰＭファイバ）である。ＰＭファイバは、たとえば、１つまたは複数の応力要素を備える。
ＰＭファイバは、直線偏光がファイバ内に入射された場合に直線偏波が保持され得るファイバである。有利には、入射された偏光は、ＰＭ送達ファイバに沿って伝播中に直線偏光を保持し、直線偏光状態でファイバから出る。有利には、２つの偏波モードの間で光パワーのクロス・カップリングがほとんどまたは全くない。好ましくは、ＰＭ送達ファイバは、伝送帯域幅内の少なくとも１つの波長についてのシングル・モードである。送達ファイバをＰＭファイバとして提供することにより、送達ファイバは、曲げ損失がさらに小さくなる。
【００３４】
たとえば、ＰＭ特性は、たとえば米国特許第７，２８９，７０９号明細書に説明されるような応力要素を組み込むことによって導入され得る。
コア領域は、原則的に、パワーに依存した任意のコア直径、および送信される波長を有してよい。有利には、送達ファイバコア領域は、少なくとも約３μｍの直径を有する。コア領域は、送達ファイバの長さに沿って変化し得るが、一般に、好ましくは、コア領域は、送達ファイバの大部分に沿って、たとえば好ましくは送達ファイバの長さの少なくとも約８０％に沿って実質的に同一の直径を有する。最適なコア領域の直径は、最大で約１５μｍ、たとえば約３μｍから約１０μｍの範囲内、たとえば約４μｍから約１２μｍである。
【００３５】
送達ファイバの伝送帯域幅が、５００ｎｍ未満またはさらに４５０ｎｍ未満の波長を備える場合、送達ファイバコア領域は、有利には、約１０μｍ未満の直径を有する。なぜな
らば、送達ファイバのコア領域が大きくなると、たとえば約１５ｎｍよりも大きいと、ＵＶ光領域における損失が増大することが見出されているからである。
【００３６】
コア領域サイズ、介在物直径、およびパターンなど、光ファイバのすべての構造的詳細は、特に指定されない限り、ファイバの断面図に関連して与えられる。
一実施形態では、コア領域直径は、送達ファイバの長さに沿って実質的に同一であり、任意選択で送達ファイバの１つまたは複数のコンポーネント部を除外して実質的に同一である。
【００３７】
そのようなコンポーネント部が以下でさらに説明される。
好ましくは、クラッド領域内の複数の介在物は、コア領域を包囲する介在物の少なくとも４つのリング、たとえばコア領域を包囲する介在物の少なくとも５つのリングを備える断面パターンに配置される。介在物のリングの数を増大させることにより、伝送帯域幅が増大され得ること、さらに、シングル・モード特性および／または損失低減などの追加的特性が向上され得ることが見出されている。介在物のリングは、有利には、隣接介在物の間の距離がピッチのＰ倍であるようにピッチ・パターンに配置され、ここで、Ｐは、０．５または５までの整数、好ましくは最大で３、たとえば１または２であり、Ｐは、最も近い介在物の異なる距離から異なる値を持つことができる。
【００３８】
一実施形態では、介在物は、ピッチ・パターン、２倍ピッチ・パターン、３倍ピッチ・パターン、半ピッチ・パターン、またはこれらの組合せで配置され、ピッチは、コア領域と介在物との間の最小の中心間距離として決定される。
【００３９】
ピッチΛは、送達ファイバを望ましい伝送帯域幅に調整するために、特に、伝送帯域幅が、４５０ｎｍ未満の青色範囲および／または８００ｎｍを上回る赤色範囲の波長を備えるかどうかについて調整するために使用され得ることが見出されている。青色波長に達するために、ピッチは、約１０μｍ未満、好ましくは約９μｍ未満、たとえば約８μｍ未満、たとえば約７μｍ未満、たとえば約６μｍ未満であることが望ましい。赤色波長に達するために、ピッチは、有利には、約３．２μｍ以上、たとえば約３．２μｍ以上、たとえば約４μｍ以上、たとえば約５μｍ以上、たとえば約５μｍ以上、たとえば約７μｍ以上、たとえば約８μｍ以上である。
【００４０】
コア領域直径対ピッチｄ／Λは、有利には、約０．７以下、たとえば約０．３から約０．６５、たとえば約０．４から約０．６であり得る。
有利には、コア領域は、屈折率Ｎｃｏｒｅを有し、クラッド領域は、実効屈折率Ｎｃｌａｄを有し、クラッド・バックグラウンド材料の屈折率Ｎｂｇは、コア領域の屈折率Ｎｃｏｒｅと実質的に同一である。
【００４１】
一実施形態では、コア領域の屈折率は均一である。別の実施形態では、コア領域は、たとえば同時係属のＤＫ  ＰＡ  ２０１４  ００５４５に説明されているように、微細構造化される。コア領域が微細構造化される場合、コア領域の屈折率Ｎｃｏｒｅは平均屈折率として決定される。
【００４２】
代替実施形態では、クラッド・バックグラウンド材料の屈折率Ｎｂｇは、コア領域の屈折率Ｎｃｏｒｅと異なり、好ましくは、クラッド・バックグラウンド材料の屈折率Ｎｂｇは、コア領域の屈折率Ｎｃｏｒｅよりも低い。
【００４３】
一実施形態では、送達ファイバは、シリカ・ファイバであり、固体介在物は、ダウン・ドープされたシリカである。好ましくは、互いに独立した固体介在物が、フッ素ならびに／またはホウ素ならびに／またはＦおよび／もしくはＢ原子を備える成分のうちの少なく
とも１つでドープされたシリカである。
【００４４】
それぞれの介在物は、等しいまたは異なるそれぞれの屈折率を有してよく、介在物は、異なる屈折率を有するいくつかの領域を有してよく、その状況において、屈折率は、上述されたように平均屈折率として決定される。
【００４５】
一実施形態では、互いに独立した各介在物のそれぞれの屈折率と、バックグラウンド材料の屈折率Ｎｂｇとの差が、約１０−５から約０．１、たとえば約１０−４から約１０−２、たとえば最大で約１０−３である。
【００４６】
一実施形態では、介在物は、実質的に同一の屈折率Ｎｉｎｃを有する。
一実施形態では、介在物のうちのｎ個が、異なる屈折率Ｎｉｎｃ（１）…、Ｎｉｎｃ（ｎ）を有し、ｎは、最大で介在物の個数である整数であり、言い換えれば原則として、すべての介在物が異なる屈折率を有してよい。しかしながら、実用的観点から、この実施形態は好ましくはない。
【００４７】
有利には、最大で１０個、たとえば２〜４個、好ましくは介在物のリングの介在物のすべてが、実質的に同一の屈折率を有する。
一実施形態では、介在物のあるリングの介在物は、介在物の別のリングの介在物と異なる屈折率を有する。好ましくは、介在物のあるリングの介在物は、コア領域により近い介在物の別のリングの介在物よりも高い屈折率を有する。異なる屈折率を有する介在物のリングを有することにより、送達ファイバは、望ましい伝送帯域幅を有するように設計されることができ、同時に、より高次のモードが抑制され得る。
【００４８】
一実施形態では、介在物のリングの介在物は、異なる屈折率を有する２つ以上の介在物を備える。
有利には、固体介在物は、コア領域と実質的に平行である。それにより、ファイバは比較的簡易な方法で引かれ得る。
【００４９】
一実施形態では、固体介在物は、コア領域をらせん状に包囲する。それにより、介在物の数が減少されること、および／または曲げ損失が低減されることが可能である。しかしながら、コア領域をらせん状に包囲する介在物を有するファイバの製造は、コア領域に対して平行な介在物を有する場合よりも難しい。
【００５０】
一実施形態では、送達ファイバは、内側クラッド領域および外側クラッド領域を備え、それらにおいてクラッド・バックグラウンド材料が異なり得る。
一実施形態では、送達ファイバは、内側クラッド領域および外側クラッド領域を備え、それらにおいてクラッド・バックグラウンド材料は同一の屈折率を有する。
【００５１】
一実施形態では、送達ファイバは、内側クラッド領域および外側クラッド領域を備え、外側クラッド領域内の介在物は、内側クラッド領域内の介在物よりも高い屈折率を有する。この実施形態では、内側クラッド領域は、有利には、最大でＮｉｎｃの屈折率を有する固体材料の本明細書に説明されている介在物を備え、外側クラッド領域内の介在物は、Ｎｉｎｃよりも高い屈折率を有する固体材料からなる。好ましくは、外側クラッド領域内の介在物は、外側クラッド領域のバックグラウンド材料よりも高い屈折率を有する固体材料からなる。それにより、外側クラッド領域の介在物は、より高次のモードにカップル・アウト（ｃｏｕｐｌｅ  ｏｕｔ）するように作用し得る。
【００５２】
一実施形態では、送達ファイバは、たとえば上述されたように、内側クラッド領域と外側クラッド領域とを備えるダブル・クラッド送達ファイバであり、送達ファイバは、たと
えば自由空間光通信を介して、またはカプラ、たとえば、後述されるような融着カプラを介して、信号が収集され得るように構成される。
【００５３】
介在物は、原則的に任意のサイズを有し得るが、一般に、介在物がファイバ複屈折を形成するのに使用されない限り、介在物は大きすぎないことが望ましい。
一実施形態では、固体介在物は、等しいまたは異なる直径を有し、好ましくは、直径は約０．２から約１μｍ、たとえば約０．４〜０．８μｍである。
【００５４】
好ましくは、介在物のリングの介在物は、等しい直径を有する。
一実施形態では、介在物のリング内の介在物は、第１の直径を有し、介在物の別のリング内の介在物は、第１の直径とは異なる第２の直径を有する。
【００５５】
有利には、送達ファイバは、すべて固体のファイバ、すなわち、２５℃で完全に固体の材料のファイバである。好ましくは、送達ファイバは、すべてシリカのファイバであり、コア領域、クラッド領域、および／または介在物は、それぞれの屈折率に達するようにドープされる。
【００５６】
一実施形態では、送達ファイバの伝送帯域幅は、約４００ｎｍから９００ｎｍの範囲内の波長を備える。この波長の範囲は、複数の高精度の手順、特に顕微鏡に基づく手順に非常に適している。好ましくは、送達ファイバの伝送帯域幅は、少なくとも約１００ｎｍの帯域幅、たとえば少なくとも約２００ｎｍの帯域幅、たとえば少なくとも約３００ｎｍの帯域幅、たとえば少なくとも約４００ｎｍの帯域幅、たとえば約４００ｎｍから９００ｎｍの範囲内の帯域幅全体を備える。
【００５７】
一実施形態では、伝送帯域幅は、可視範囲内の少なくとも１つの波長を備える。
一実施形態では、伝送帯域幅は、可視範囲よりも高い波長、たとえば７００ｎｍ以上の波長を備える。これは、特に伝送帯域幅が専ら７００ｎｍを超える場合に、眼の手術中の照明に非常に適している。
【００５８】
一実施形態では、伝送帯域幅は、４５０ｎｍ未満またはさらには４００ｎｍ未満の少なくとも１つの波長を備える。そのような波長は、多くの顕微鏡照明手順に非常に適している。
【００５９】
一実施形態では、送達ファイバは、１５００ｎｍを上回る波長を抑制するように構成される。これは、介在物のそれぞれのリング内の介在物の間の距離の選択によって、および／またはコア領域の屈折率とクラッド領域の実効屈折率との間の屈折率差の選択によって、提供され得る。
【００６０】
一実施形態では、送達ファイバは、９００ｎｍを上回る波長を抑制するように構成される。
一実施形態では、送達ファイバの伝送帯域幅は、約１１００ｎｍから２４００ｎｍの範囲内の波長を備え、好ましくは、送達ファイバの伝送帯域幅は、少なくとも約１００ｎｍの帯域幅、たとえば少なくとも約２００ｎｍの帯域幅、たとえば少なくとも約３００ｎｍの帯域幅、たとえば少なくとも約４００ｎｍの帯域幅、たとえば約１１００ｎｍから２４００ｎｍの範囲内の帯域幅全体を備える。
【００６１】
一実施形態では、送達ファイバの伝送帯域幅は、約４００ｎｍから１１００ｎｍの範囲内の波長を備える。
一実施形態では、送達ファイバの伝送帯域幅は、８００ｎｍ未満、たとえば７００ｎｍ未満、たとえば６００ｎｍ未満、たとえば５００ｎｍ未満の波長を備える。
【００６２】
送達ファイバは、長すぎると望ましくない曲げおよび機械的妨害をもたらし得るので、長すぎるべきではない。しかしながら、送達ファイバは短すぎるべきでもない。好ましい実施形態では、送達ファイバ・アセンブリは、特定の使用のために異なる長さで供給され得る。
【００６３】
たとえば、送達ファイバの適切な長さは、約５ｃｍから約１００ｍ、たとえば約１０ｃｍから約３０ｍ、たとえば約２０ｃｍから約２０ｍ、たとえば約３０ｃｍから約１０ｍである。
【００６４】
有利には、送達ファイバは、少なくとも１つのコンポーネント部を備え、コンポーネント部は、有利には、送達ファイバからの光を分離し、および／または送達ファイバ内へ光を組み合わせるように構成され、コンポーネント部は、好ましくは、すべてファイバのコンポーネント部である、
有利には、送達ファイバは、融着カプラまたは融着スプリッタなどの融着コンポーネントを備える。そのような融着コンポーネントは当技術分野で周知であるが、これまで送達ファイバに対して適用または融着されていなかった。融着要素の原理として、送達ファイバのコア、および融着コンポーネントのコア、通常はファイバ・コンポーネントが、１つのコアから別のコアへと光を伝送するように互いに非常に近く融着される。融着コンポーネントの利点は、固体微細構造を有する光ファイバを含み、たとえば、コア領域とコア領域を包囲するクラッド領域とを備える光ファイバを含み、クラッド領域は、屈折率ＴＮｂｇを有するクラッド・バックグラウンド材料と、最大でＴＮｉｎｃの屈折率を有し、ツイン送達ファイバの長さに、好ましくはツイン送達ファイバに沿って延びる固体材料の介在物の形態の複数の微細構造とを備え、ＴＮｉｎｃ＜ＴＮｂｇであり、クラッド領域内の複数の介在物は、コア領域を包囲する介在物の少なくとも２つのリングを備える断面パターンに配置される。
【００６５】
前述されたように介在物の形態の固体微細構造を備えるすべて固体のファイバを使用することによって、送達ファイバに対する光の結合または送達ファイバからの光の分離は、送達ファイバに結合された光の一部分または送達ファイバから分離された光の一部分が、それが結合または分離された元の光と実質的に同一の波長プロファイルを有するようになされることが見出されている
一実施形態では、送達ファイバ・アセンブリは、融着カプラを備え、融着カプラは、コンポーネント部において送達ファイバに対して融着される。
【００６６】
有利には、融着カプラは、コンポーネント部において送達ファイバに対して融着された結合ファイバを備える、２×２カプラである。結合ファイバは、融着コンポーネント部の両側に第１および第２のファイバ部分を備え、融着コンポーネント部で送達ファイバと結合ファイバとの間で光が結合されるように配置される。
【００６７】
一実施形態では、結合ファイバは、光を送達ファイバ内へ結合し、同時に、光部分を送達ファイバから結合ファイバへ結合するように配置される。そのような融着カプラは、以下の例で説明されるようにＯＣＴで使用するために有利である。
【００６８】
一実施形態では、送達ファイバ・アセンブリは、融着スプリッタを備え、融着スプリッタは、送達ファイバからの光の一部分を分離するために、コンポーネント部において送達ファイバに対して融着される。好ましくは、分離された光部分は、光のパワーに対して５〜９５％を構成し、分離された光部分は、それが分離された元の光部分と実質的に同一の波長プロファイルを有する。
【００６９】
一実施形態では、スプリッタは、分離された光がパワーの約１０％またはパワーの約９０％を構成するという意味で、１０−９０％比のスプリッタである。このタイプのスプリッタは、たとえば、ＯＣＴまたはウエハ計測または同様の装置で使用するのに適している。
【００７０】
一般に、スプリッタは、送達ファイバからの光の任意の望ましいパワー部分を分離するために適用されることが可能であり、分離された部分は、基準として使用され得る。一実施形態では、スプリッタを有する送達ファイバが、干渉計装置で使用するために構成される。
【００７１】
一実施形態では、スプリッタは、分離された光がパワーに対して約５０％を構成するという意味で５０％−５０％比のスプリッタである。この実施形態は、たとえば、パルス・インターリーブ励起を用いた高度蛍光変動分光法（Ａｄｖａｎｃｅｄ  Ｆｌｕｏｒｅｓｃｅｎｃｅ  Ｆｌｕｃｔｕａｔｉｏｎ  Ｓｐｅｃｔｒｏｓｃｏｐｙ  ｗｉｔｈ  Ｐｕｌｓｅｄ  Ｉｎｔｅｒｌｅａｖｅｄ  Ｅｘｃｉｔａｔｉｏｎ）、マティアス・ホラー（Ｍａｔｔｈｉａｓ  Ｈｏｅｌｌｅｒ）、Ｄｉｓｓｅｒｔａｔｉｏｎ  ｚｕｒ  Ｅｒｌａｎｇｕｎｇ
ｄｅｓ  Ｄｏｋｔｏｒｇｒａｄｅｓ  ｄｅｒ  Ｆａｋｕｌｔａｅｔ  ｆｕｅｒ  Ｃｈｅｍｉｅ  ｕｎｄ  Ｐｈａｒｍａｚｉｅ  ｄｅｒ  Ｌｕｄｗｉｇ−Ｍａｘｉｍｉｌｉａｎｓ−Ｕｎｉｖｅｒｓｉｔａｅｔ  Ｍｕｅｎｃｈｅｎ、２０１１年に説明されているように、インターリーブされたパルスを提供するために適用されてよい。
【００７２】
一実施形態では、融着スプリッタが、光を送達するためのツイン送達ファイバを備え、ツイン送達ファイバは、ツイン送達端と、コンポーネント部からツイン送達端に延びる長さとを備え、その長さに沿って、コア領域と、コア領域を包囲するクラッド領域とを備え、クラッド領域は、屈折率ＴＮｂｇを有するクラッド・バックグラウンド材料と、最大でＴＮｉｎｃの屈折率を有し、ツイン送達ファイバの長さに延び、好ましくはツイン送達ファイバに沿って延びる固体材料の介在物の形態の複数の微細構造とを備え、ＴＮｉｎｃ＜ＴＮｂｇであり、クラッド領域内の複数の介在物は、コア領域を包囲する介在物の少なくとも２つのリングを備える断面パターンに配置され、好ましくは、ツイン・コネクタ部材が、ツイン送達端を備えるツイン送達ファイバのツイン送達端部分においてツイン送達ファイバに対して取り付けられる。
【００７３】
有利には、送達ファイバは、約２００ｎｍ以上、たとえば約３００ｎｍ以上、たとえば約４００ｎｍ以上、たとえば約５００ｎｍ以上の伝送帯域幅を有する。
一実施形態では、送達ファイバ・アセンブリは、融着カプラおよび融着スプリッタを備え、融着スプリッタは、第１のコンポーネント部において送達ファイバに対して融着され、融着カプラは、送達ファイバの送達端により近い第２のコンポーネント部において送達ファイバに対して融着され、融着スプリッタおよび融着カプラは、ループ・ファイバを備え、ループ・ファイバは、スプリッタによって分離されカプラによって送達ファイバ内に再結合される光パルス部分を遅延するように構成され、分離され再結合された光パルス部分は、それが分離された元の光パルス部分に対して遅延される。
【００７４】
ループ・ファイバは、有利には、たとえば上述されたように、介在物を備えるすべて固体のファイバである。
有利には、アセンブリは、入力端コネクタ部材を備え、入力端コネクタ部材は、入力端を備える送達ファイバの入力端部分において送達ファイバに対して取り付けられ、コネクタ部材は、好ましくは、入力端を微細構造光ファイバなどの光入射ユニットと物理的に接触して接続するように構成される。
【００７５】
一実施形態では、アセンブリは、前置送達ファイバ（ｐｒｅ−ｄｅｌｉｖｅｒｙ  ｆｉ
ｂｅｒ）を備え、前置送達ファイバは、自由空間光通信なしに送達ファイバに結合される。
【００７６】
一実施形態では、前置送達ファイバは、任意選択で接合によって、送達ファイバに接合される。
有利には、接合は、モード・フィールド径、開口数、低伝播損失、または伝送帯域幅から選択される１つまたは複数のガイド特性が、前置送達ファイバから送達ファイバまで実質的に変更されないように提供される。
【００７７】
一実施形態では、送達ファイバ・アセンブリは、異なる波長を有する複数（ｍｕｌｔｉｐｌｕｍ）の多重化レーザからシングル・モード品質で光を送達するように構成される。そのような多重化レーザ光は、スペクトル・エンジンと呼ばれることがある。多重化レーザ光は、たとえば、青色、緑色、および赤色レーザから多重化されてよく、それらは、たとえば、キオプティクス（Ｋｅｙｏｐｔｉｃｓ）ＫｉｎｅＦＬＥＸモジュールによって単一のビーム経路として組み合わされる。従来技術は、３つの異なる送達ファイバを使用し、または単一の送達ファイバを有し、それは、大きな波長でシングル・モードであり、低い波長でマルチモードであった。
【００７８】
これまで、１つの単一送達ファイバによって約２５ｎｍ以上、たとえば約１００ｎｍ以上、たとえば２００ｎｍ以上、たとえば３００ｎｍ以上で異なる波長のような異なる波長を備えるシングル・モード多重化光を送達することを可能にする解決策が存在しなかった。
【００７９】
本発明はまた、光を装置に対して供給するための広帯域源に関する。広帯域源は、
・ポンプ・パルスを生成するように動作可能な光ポンプ源と、
・ポンプ光の供給があると広帯域光パルスを生成するための微細構造光ファイバと、
・広帯域光パルスの少なくともいくつかの少なくとも部分を受け取り、広帯域光パルスの受け取られた部分の少なくとも一部を装置に対して送達するように配置された送達ファイバと
を備え、
光ポンプ源は、ポンプ・パルスを微細構造光ファイバに対して入射するように配置され、送達ファイバは、長さと、光を入射するための入力端と、光を送達するための送達端とを有し、送達ファイバは、その長さに沿って、コア領域と、コア領域を包囲するクラッド領域とを備え、コア領域は、最大で約１５μｍの直径を有し、クラッド領域は、屈折率Ｎｂｇを有するクラッド・バックグラウンド材料と、少なくともＮｉｎｃの屈折率を有し、送達ファイバの長手軸の長さに延び、好ましくは送達ファイバの長手軸に沿って延びる固体材料の介在物の形態の複数の微細構造物とを備え、Ｎｉｎｃ＜Ｎｂｇであり、クラッド領域内の複数の介在物は、コア領域を包囲する介在物の少なくとも２つのリングを備える断面パターンに配置される。
【００８０】
広帯域源の送達ファイバは、有利には、上述された送達ファイバと同様であってよい。
一実施形態では、送達ファイバは、約２００ｎｍ以上、たとえば約３００ｎｍ以上、たとえば約４００ｎｍ以上、たとえば約５００ｎｍ以上の伝送帯域幅を有する。
【００８１】
有利には、送達ファイバは、送達端部分に少なくとも沿って、伝送帯域幅内の少なくとも１つの波長について、一定のモード・フィールド径を有し、好ましくは、送達ファイバは、送達端部分に少なくとも沿って、伝送帯域幅内の波長プロファイルに対して一定のモード・フィールド径を有する。１つの実施形態では、送達ファイバは、コネクタを有する送達端部分を含むその長さ全体に沿って、実質的に一定のモード・フィールド径を有する。
【００８２】
有利には、送達ファイバは、好ましくは上述されたようにたとえば送達端から１ｃｍを含む端部分を少なくとも含む、その長さの大部分に沿って波長プロファイルに対して実質的に一定のモード・フィールド径を有する。
【００８３】
送達ファイバは、好ましくは、伝送帯域幅内の少なくとも１つの波長についてのシングル・モードである。好ましくは、送達ファイバは、伝送帯域幅の少なくとも約５０％、たとえば少なくとも約８０％、たとえば送達の伝送帯域幅全体についてのシングル・モードである。送達ファイバは、好ましくは、約２００ｎｍ以上、たとえば約３００ｎｍ以上、たとえば約４００ｎｍ以上、たとえば約５００ｎｍ以上の伝送帯域幅を有する。
【００８４】
有利には、送達は、上述されたように、偏波保持光ファイバ（ＰＭファイバ）である。
一実施形態では、クラッド領域内の複数の介在物は、コア領域を包囲する介在物の少なくとも４つのリング、たとえばコア領域を包囲する介在物の少なくとも５つのリングを備える断面パターンに配置される。介在物のリングは、たとえば上述されたように、ピッチ・パターン、２倍ピッチ・パターン、３倍ピッチ・パターン、半ピッチ・パターン、またはこれらの組合せで配置される。
【００８５】
一実施形態では、ファイバは、基本的に単一の欠落介在物に対応する、いわゆる単一セル・コアを有する。この実施形態では、コアのサイズは、ピッチ（Λ）の２倍から介在物（ｄ）の直径を引くことによって与えられる。
【００８６】
好ましくは、コア領域は、屈折率Ｎｃｏｒｅを有し、クラッド領域は、実効屈折率Ｎｃｌａｄを有し、クラッド・バックグラウンド材料の屈折率Ｎｂｇは、コア領域の屈折率Ｎｃｏｒｅと実質的に同一である。
【００８７】
送達ファイバは、有利には、シリカ・ファイバであり、固体介在物は、ダウン・ドープされたシリカであり、好ましくは、互いに独立した固体介在物が、フッ素ならびに／またはホウ素ならびに／またはＦおよび／もしくはＢ原子を備える成分のうちの少なくとも１つでドープされたシリカである。
【００８８】
一実施形態では、送達ファイバは、内側クラッド領域と外側クラッド領域とを備えるダブル・クラッド・ファイバであり、外側クラッド領域内の介在物は、内側クラッド領域内の介在物よりも高い率を有し、好ましくは、内側クラッド領域は、少なくともＮｉｎｃの屈折率を有する固体材料の介在物の少なくとも２つのリングを備え、外側クラッド領域は、内側クラッド領域よりも高い実効屈折率を有する。
【００８９】
外側クラッド領域内の介在物は、Ｎｉｎｃよりも高い屈折率を有する固体材料からなり、好ましくは、外側クラッド領域内の介在物は、外側クラッド領域のバックグラウンド材料よりも高い屈折率を有する固体材料からなる。それにより、外側クラッドの介在物は、より高次のモードにカップル・アウトするように作用し得る。
【００９０】
一実施形態では、外側クラッドは、照明されたターゲットからの信号を受信および送信するように配置される。ターゲットから散乱された光が、光学素子によってコリメートされ、外側クラッドを介して、たとえば分光計に対して送信され得る。
【００９１】
送達ファイバは、有利には、上述されたような送達ファイバ・アセンブリの形態である。
光ポンプ源は、原則的に、たとえば国際公開第２０１１／０２３２０１号に説明された光ポンプ源など、任意の種類の光ポンプ源とすることができる。
【００９２】
有利には、光ポンプ源は、モード・ロック・ファイバ・オシレータ（ｍｏｄｅ−ｌｏｃｋｅｄ  ｆｉｂｅｒ  ｏｓｃｉｌｌａｔｏｒ）、および好ましくは少なくとも１つの増幅器を備える。一実施形態では、光ポンプ源は、主発振器出力増幅器ＭＯＰＡ（ｍａｓｔｅｒ  ｏｓｃｉｌｌａｔｏｒ  ｐｏｗｅｒ  ａｍｐｌｉｆｉｅｒ）を備える。ＭＯＰＡ構成は当技術分野で周知である。
【００９３】
微細構造光ファイバは、たとえば上記に引用された従来技術文献に説明されているような、スーパーコンティニューム生成に適した任意の微細構造光ファイバとすることができる。
【００９４】
有利には、広帯域源の光ポンプ源および微細構造光ファイバは、少なくとも約２００ｎｍ、好ましくは少なくとも約５００ｎｍ、たとえばオクターブに及ぶ広帯域光パルスを生成するように構成される。
【００９５】
有利には、微細構造光ファイバは、好ましくは自由空間光通信の使用なしに、送達ファイバに接続されたコネクタ部材に接続された孔を備える。
一実施形態では、たとえば米国特許出願公開第２０１２／１９５５５４号明細書に説明されているように、孔を備える微細構造光ファイバが送達ファイバに接合される。
【００９６】
一実施形態では、微細構造光ファイバは、送達ファイバに対して突合せ接続によって接続され、任意選択で、コネクタ部材、もしくはコールド・スプライス（ｃｏｌｄ  ｓｐｌｉｃｅ）などの接合によって接続され、または、孔が微細構造光ファイバの端部でつぶされる。
【００９７】
一実施形態では、微細構造光ファイバは、Ａ．Ｄ．ヤブロン（Ａ．Ｄ．Ｙａｂｌｏｎ）およびＲ．ビセ（Ｒ．Ｂｉｓｅ）による「ＧＲＩＮファイバ・レンズを使用した低損失高強度微細構造ファイバ融着スプライス（Ｌｏｗ−Ｌｏｓｓ  Ｈｉｇｈ−Ｓｔｒｅｎｇｔｈ
Ｍｉｃｒｏｓｔｒｕｃｔｕｒｅｄ  Ｆｉｂｅｒ  Ｆｕｓｉｏｎ  Ｓｐｌｉｃｅｓ  Ｕｓｉｎｇ  ＧＲＩＮ  Ｆｉｂｅｒ  Ｌｅｎｓｅｓ）」、Ｏｐｔｉｃａｌ  Ｓｏｃｉｅｔｙ  ｏｆ  Ａｍｅｒｉｃａ，  ＯＣＩＳ  ｃｏｄｅｓ：（０６０．２３１０）Ｆｉｂｅｒ  ｏｐｔｉｃｓ、２００４年に説明されているように、屈折率分布ファイバ配置（ＧＲＩＮ：ｇｒａｄｉｅｎｔ  ｉｎｄｅｘ  ｆｉｂｅｒ  ａｒｒａｎｇｅｍｅｎｔ）を使用して送達ファイバに接続される。
【００９８】
一実施形態では、広帯域源は、広帯域光パルスをフィルタリングするためのバンド・パス・フィルタを備え、バンド・パス・フィルタは、好ましくは同調可能バンド・パス・フィルタであり、好ましくは、格子ベースのフィルタ、プリズム、または音響光学同調可能フィルタ（ＡＯＴＦ：ａｃｏｕｓｔｏ−ｏｐｔｉｃ  ｔｕｎａｂｌｅ  ｆｉｌｔｅｒ）から選択される。そのようなバンド・パス・フィルタは当業者には周知である。
【００９９】
有利には、バンド・パス・フィルタは、微細構造光ファイバと送達ファイバとの間に位置付けられる。
一実施形態では、送達ファイバは、広帯域光パルスのバンド・パスでフィルタリングされた部分を受け取り、広帯域光パルスの受け取られた部分の少なくとも一部を装置に対して自由空間光通信なしに送達するように配置される。
【０１００】
一実施形態では、フィルタは、選択的に複数の波長または波長範囲を選択し送達ファイバに対して選択された波長を送信するように構成された、同調可能光バンド・パス・フィルタである。
【０１０１】
ポンプ源が、ポンプ・パルス繰返し率でポンプ・パルスを生成するように動作可能であり、広帯域源が、ポンプ源と微細構造光ファイバとの間に配置されたパルス・ピッカを備える、実施形態において、パルス・ピッカは、ポンプ源により生成されたポンプ・パルス繰返し率を低減するようにパルスを選出するように動作可能であり、したがって、低減されたポンプ・パルス繰返し率が微細構造光ファイバに対して入射される。
【０１０２】
本発明はまた、上述されたような広帯域源を備える広帯域源システムを含み、広帯域源システムは、異なる送信特性を有する複数の送達ファイバ・アセンブリを備え、送達ファイバ・アセンブリの各々は、入力端コネクタ部材および送達端コネクタ部材を備える。それにより、ユーザは、特定の使用のために送達ファイバ・アセンブリを選択し、別の使用のために別の送達ファイバ・アセンブリに切り替えることができる。それぞれの送達ファイバ・アセンブリは、有利には、異なる手順の実行用に設計され、ユーザは、比較的簡易に送達ファイバ・アセンブリを切り替えることができる。
【０１０３】
本発明はまた、光を装置に対して供給するためのスペクトル・エンジン源に関し、スペクトル・エンジン源は、
・少なくとも１つの波長と異なる波長を有するレーザ・ビームを放出する２つ以上のレーザと、
・マルチプレクサと、
・送達ファイバと
を備える。
【０１０４】
したがって、スペクトル・エンジンは、異なる波長または波長帯を有するレーザ・ビームを放出する複数のレーザを備え得る。
マルチプレクサは、レーザの各々のレーザ・ビームの少なくとも部分を受け取り、受け取られた光を多重化ビームにコリメートするように構成される。送達ファイバは、多重化ビームを受け取り、受け取られた多重化ビームの少なくとも一部を装置に対して送達するように配置され、送達ファイバは、長さと、光を入射するための入力端と、光を送達するための送達端とを有する。送達ファイバは、その長さに沿って、コア領域と、コア領域を包囲するクラッド領域とを備え、コア領域は、最大で約１５μｍの直径を有し、クラッド領域は、屈折率Ｎｂｇを有するクラッド・バックグラウンド材料と、最大でＮｉｎｃの屈折率を有し、送達ファイバの長手軸の長さに延びる固体材料の介在物の形態の複数の微細構造物とを備え、Ｎｉｎｃ＜Ｎｂｇであり、クラッド領域内の複数の介在物は、コア領域を包囲する介在物の少なくとも２つのリングを備える断面パターンに配置され、好ましくは、送達ファイバは、２つ以上のレーザの各々の波長の少なくとも一部を備える波長を備える伝送帯域幅を有する。
【０１０５】
送達ファイバは、上述された通りであってよい。
レーザは、ファイバ・レーザまたは半導体ダイオードレーザなど、任意の種類のレーザであってよい。
【０１０６】
一実施形態では、２つ以上のレーザから放出されるレーザ・ビームのうちの少なくとも１つは、約５０ｎｍ以下、たとえば約２５ｎｍ以下、たとえば約５ｎｍ以下の帯域幅を有する。
【０１０７】
一実施形態では、２つ以上のレーザから放出されるレーザ・ビームのうちの１つは、５００ｎｍ未満の少なくとも１つの波長を備え、２つ以上のレーザから放出されるレーザ・ビームのうちの１つは、８００ｎｍを上回る少なくとも１つの波長を備える。
【０１０８】
一実施形態では、スペクトル・エンジンは、少なくとも３つのレーザを備え、レーザのうちの第１のレーザは、４５０ｎｍ未満の少なくとも１つの波長を備えるレーザ・ビームを放出するように適合され、レーザのうちの第２のレーザは、５００ｎｍから７００ｎｍまでの範囲の少なくとも１つの波長を備えるレーザ・ビームを放出するように適合され、レーザのうちの第３のレーザは、８００ｎｍを上回る少なくとも１つの波長を備えるレーザ・ビームを放出するように適合される。
【０１０９】
本発明はまた、上述されたように備える広帯域源またはスペクトル・エンジン源を備える装置に関する。装置は、送達ファイバから光を受け取るように配置された光導波路を備え、光導波路は、送達ファイバの送達端のコネクタ部材と嵌合されるように構成されたコネクタ部材を備え、光導波路は、好ましくは光ファイバである。
【０１１０】
装置は、たとえば、ターゲットを照明するように構成された照明装置であり、照明装置は、好ましくは、顕微鏡、分光器、または内視鏡から選択される。
有利には、照明源は、蛍光イメージング；蛍光寿命イメージング（ＦＬＩＭ）；全内部反射蛍光（ＴＩＲＦ）顕微鏡；蛍光共鳴エネルギー移動（ＦＲＥＴ）；パルス・インターリーブ励起促進共鳴エネルギー移動（ＰＩＥ−ＦＲＥＴ）；広帯域分光法；ナノフォトニクス；フロー・サイトメトリー；計測などの工業検査；ガス検知などのリングダウン分光法；ハイパースペクトル分光法、たとえば果物の作物分析、飛行時間分光法（ＴＣＳＰＣ）などの分析分光法；１分子イメージング；および／またはこれらの組合せに対して適合される。１つの実施形態では、送達ファイバは、顕微鏡におけるいわゆる光ガイドの役割をする。
【０１１１】
一実施形態では、装置は、計測装置であり、装置は、好ましくは、照明されたターゲットからの信号を収集するように構成されたダブル・クラッド送達ファイバを備える。
一実施形態では、装置は、融着カプラを備える少なくとも１つの送達ファイバ・アセンブリ、および／または融着スプリッタを備える少なくとも１つの送達ファイバ・アセンブリを備える。
【０１１２】
一実施形態では、照明源は、融着カプラを備える少なくとも１つの送達ファイバ・アセンブリ、および／または融着スプリッタを備える少なくとも１つの送達ファイバ・アセンブリを備え、送達ファイバは、少なくとも約２００ｎｍ、好ましくは少なくとも約５００ｎｍ、たとえばオクターブの伝送帯域幅を有する。
【０１１３】
範囲および好ましい範囲を含む上述された発明および発明の実施形態のすべての特徴は、それらの特徴を組み合わせない特定の理由が存在しない限り、本発明の範囲内において様々に組み合わされ得る。
【０１１４】
本発明の上記および／または追加の目的、特徴、および利点は、添付の図面を参照して、本発明の実施形態の以下の例示的で非限定的な詳細な説明により、さらに明らかにされる。
【図面の簡単な説明】
【０１１５】
【図１ａ】本発明の送達ファイバ・アセンブリの実施形態の送達ファイバの断面図。
【図１ｂ】図１ａに示されるような送達ファイバのための伝送損失スペクトルの形態の波長プロファイルを示す図。
【図１ｃ】暗い領域はホウ素など別の材料でドープされた介在物である、ＰＭファイバの例を示す図。
【図１ｄ】本発明によるファイバに関する長波長伝送端および短波長伝送端対ピッチの例を示す図。
【図２】本発明の送達ファイバ・アセンブリの実施形態の一部の斜視図。
【図３】本発明の広帯域源の実施形態の概略図。
【図４】本発明の広帯域源の別の実施形態の概略図。
【図５】本発明の広帯域源のさらに別の実施形態の概略図。
【図６】干渉計の形態の本発明の装置の実施形態の概略図。
【図７】別のタイプの干渉計の形態の本発明の装置の実施形態の概略図。
【図８】本発明のスペクトル・エンジン源の実施形態の概略図。
【図９】本発明のスペクトル・エンジン源の別の実施形態の概略図。
【図１０】本発明の実施形態の装置の図。
【図１１】本発明の実施形態の別の装置の図。
【発明を実施するための形態】
【０１１６】
図面は概略であり、明確にするために簡略化されることがある。全体を通して、同一または対応する部分に対して同じ参照番号が使用されている。
図１ａは、送達ファイバ・アセンブリの送達ファイバ５の断面を示す。送達ファイバ５は、屈折率Ｎｃｏｒｅを有するコア領域を備える。コアは、クラッド領域によって包囲され、クラッド領域は、屈折率Ｎｂｇを有するバックグラウンド材料と、最大でＮｉｎｃの屈折率を有し、送達ファイバの長手軸の長さに延びる固体材料の介在物２ａ、２ｂの形態の複数の微細構造とを備え、Ｎｉｎｃ＜Ｎｂｇである。クラッド領域内の複数の介在物２ａ、２ｂは、コア領域を包囲する介在物の少なくとも６つのリングを備える断面パターンに配置される。図示された実施形態では、介在物２ａの３個の半径方向に最も内側のリングは、介在物２ｂの３個の半径方向に最も外側のリングよりも小さい屈折率を有する。図示された実施形態では、介在物は、実質的に等しい直径を有する。上記に説明されたように、いくつかの用途では、介在物のあるリングが介在物の別のリングに対して異なる直径を有することが有利であり得る。
【０１１７】
図１ｂは、介在物の６つのリングを有する図１に示された送達ファイバに対応するが、すべての介在物が同じ屈折率を有する、ファイバの伝送損失スペクトルを示す。この例ではコアは、１０μｍの直径を有し、介在物は、６３５ｎｍで、コアおよびクラッド・バックグラウンド・シリカ材料の屈折率よりも１．２％低い屈折率を有する。クラッド内の介在物の間の中心間距離（ピッチとしても知られる）は６μｍであり、介在物の直径は３μｍである。
【０１１８】
スペクトルは、広帯域スペクトル光源からファイバを通して光を送り、結合損失を分離するようにカットバックを行うことによって得られる。約１４００ｎｍにおけるピークは、吸水によるものである。送達ファイバは、送達ファイバの伝送帯域幅全体においてシングル・モードである。送達ファイバは、約４２５ｎｍから約１５００ｎｍに及ぶ非常に広い伝送帯域幅を有することが見られる。
【０１１９】
図１ｃに示される送達ファイバは、屈折率Ｎｃｏｒｅを有するコア領域を備えるＰＭファイバの例である。コアは、クラッド領域によって包囲され、クラッド領域は、屈折率Ｎｂｇを有するバックグラウンド材料と、最大でＮｉｎｃの屈折率を有し、送達ファイバの長手軸の長さに延びる固体材料の介在物７ａ、８ｂの形態の複数の微細構造とを備え、Ｎｉｎｃ＜Ｎｂｇである。クラッド領域内の複数の介在物７ａ、７ｂは、コア領域を包囲する介在物の少なくとも６つのリングを備える断面パターンに配置される。図示された実施形態では、他の介在物７ａよりも高い屈折率を有するいくつかの介在物ｂが、応力要素を形成するために２つの対向するクラスタに配置されている。より高い屈折率を有する介在物７ｂは、たとえばホウ素でドープされる。
【０１２０】
送達ファイバの一実施形態では、ピッチ（Λ）に対するクラッド内の介在物の直径（ｄ）が、送達ファイバのガイド特性に対して大きな影響を与え得ることが見出されている。一実施形態では、伝送損失は、ｄ／Λが約０．４未満である場合に大きい。一実施形態では、ファイバは、ｄ／Λが約０．６より大きい場合にマルチモードである。
【０１２１】
本発明の一実施形態では、送達ファイバのピッチ（Λ）が、送達ファイバのスペクトル伝送帯域幅に対して大きな影響を有し得ることが見出されている。
特に、短波長伝送端がピッチの上限を設定し、この限界は、必要とされる短波長端と共に増大し、したがって、たとえば、３００ｎｍの短波長端は６μｍ未満のピッチを必要とするのに対し、６００ｎｍの短波長端は９μｍ未満のピッチを必要とすることが見出された。
【０１２２】
さらに、長波長伝送端がピッチの下限を設定し、この限界は、必要とされる長波長端と共に増大し、したがって、たとえば、８００ｎｍの長波長端は少なくとも３．２μｍのピッチを必要とするのに対し、１５００ｎｍの長波長端は少なくとも６μｍのピッチを必要とすることが見出された。
【０１２３】
図１ｄは、ピッチを示し、約０．５のｄ／Λを有する本発明によるファイバに関する長波長伝送端（２０１）および短波長伝送端（２０２）対ピッチの例を示す。
一例では、送達ファイバのモード・フィールド径は、５００ｎｍにおける約８．０μｍから９００ｎｍにおける約９．０μｍへ変化する。一実施形態では、ファイバのモード・フィールド径は、５００ｎｍから９００ｎｍで約２０％未満変化する。
【０１２４】
図２は、送達ファイバ５およびコネクタ部材６を備える送達ファイバ・アセンブリの一部を示し、コネクタ部材６は、送達端５ａを備える送達ファイバの送達端部分において送達ファイバに対して取り付けられる。見られるように、送達ファイバは、ポリマー保護コーティングなどの保護コーティングを備える。
【０１２５】
コネクタ部材は、有利には、従来技術では光標準ファイバの端部を終端するために一般的に使用され、低損失の２つの標準光ファイバの容易な接続および切断を可能にするタイプの光ファイバ・コネクタである。
【０１２６】
取り付け中、光ファイバは、典型的には光コネクタ部材の内側に揃えられ、したがって、光送達ファイバのコア領域が、コネクタ部材のコネクタ面の内側で中央にされる。偏光または偏波保持ファイバについて、偏光軸が所定の平面にあるようにファイバを回転させることも可能である。さらに、ファイバの端部ファセットが、コネクタ部材の出力面にあることが確実にされる。これは、たとえば、コネクタおよびファイバ端部ファセットを研磨することによって達成される。
【０１２７】
出力端でコネクタ部材を有する送達ファイバ・アセンブリを介して光が送られる場合、光の位置がコネクタ部材の出力から放出されることはよく知られている。標準のすべて固体のシングル・モード・ファイバに関して、光は、その焦点面を有し、それによりコネクタの出力面でウエストとなる。
【０１２８】
多くの異なるタイプのコネクタ、たとえば、ＦＣ、Ｅ−２０００、ＳＭＡコネクタ、ならびにビーム拡張が組み込まれたコネクタが市場に導入されている。
低損失および高出力処理を有するファイバ・コネクタ部材は、有利なことに、たとえば最大で１００ｍＷまたはさらに最大で数ワットの平均パワーを処理できるはずなので、そのようなファイバ・コネクタ部材を使用することが望ましい。
【０１２９】
図３に示される広帯域源１０は、広帯域レーザ・パルス発生器１を備え、広帯域レーザ・パルス発生器１は、ポンプ・パルスを生成するように動作可能な図示されない光ポンプ源と、ポンプ光の供給があると広帯域光パルスを生成するための図示されない微細構造光ファイバとを備え、光ポンプ源は、ポンプ・パルスを微細構造光ファイバに対して入射するように配置されている。図示された実施形態では、広帯域レーザ・パルス発生器１は、デンマーク所在のエヌケイティー・フォトニクス（ＮＫＴ  Ｐｈｏｔｏｎｉｃｓ）によって販売されるＳｕｐｅｒＫ（商標）システムの形態である。広帯域源は、上述されたように固体介在物を備える送達ファイバ５をさらに備える。送達ファイバ５は、広帯域光パルスの少なくともいくつかの少なくとも部分を受け取るように配置される。図示された実施形態では、広帯域源１０は、光学コンポーネント３、好ましくは、広帯域レーザ・パルス発生器１と送達ファイバ５との間に配置されたフィルタ３を備える。光学コンポーネント３は、たとえば、偏光子、スペクトル・フィルタ（好ましくは同調可能）、および／またはビーム・スプリッタである。
【０１３０】
送達ファイバ５の出力端部分において、送達ファイバは、たとえば上述されたようにコネクタ部材６を備える。コネクタ部材６は、有利には、上述されたように、広帯域光パルスの受け取られた部分の少なくとも一部を装置に対して送達するように構成される。
【０１３１】
図４に示される実施形態では、広帯域源１０は、ここでは第１の送達ファイバと呼ばれる送達ファイバから光を受け取るように配置された光導波路に結合される。この実施形態では、第１の送達ファイバから光を受け取るように配置された光導波路は、第２の送達光ファイバ２２と、第２の送達ファイバ入口端コネクタ部材２１と、第２の送達ファイバ出力端終端ユニット２３とを備える追加的送達アセンブリの形態である。以下で第１の送達ファイバ・アセンブリ５、６と呼ばれる送達ファイバ・アセンブリ５、６のコネクタ部材６は、嵌合スリーブ２０を使用して第２の送達ファイバ入口端コネクタ部材２１に接続される。
【０１３２】
嵌合スリーブを使用することによって、コネクタは、第１および第２の送達ファイバ５、２２のコア領域を機械的に結合し、したがって、光が第１の送達ファイバ５から第２の送達ファイバ２２へ低損失で通過することができる。
【０１３３】
好ましくは、コネクタ部材はばね装荷され、したがって、コネクタ部材６、２１が嵌合されたときにファイバ面が互いに押圧される。得られたガラス同士またはプラスチック同士の接触は、接合されたファイバ間の空隙によって引き起こされる信号損失を解消する。
【０１３４】
ファイバ終端ユニット２３は、有利には、コネクタ部材、コリメータ、ボール・レンズ、グリン（ｇｒｉｎ）・レンズ、または任意の他の適した終端ユニットである。
第２の光送達ファイバ２２は、原則的に、任意の種類の光ファイバとすることができ、好ましくは、比較的広い伝送帯域幅、たとえば少なくとも約２００ｎｍ以上を有し、好ましくは、第２の光送達ファイバ２２の伝送帯域幅は、第１の送達ファイバ５の伝送帯域幅と少なくとも部分的に重なる。
【０１３５】
一実施形態では、第２の光送達ファイバ２２は、第１の送達ファイバ５と実質的に同一である。
一実施形態では、広帯域レーザ・パルス発生器１および第１のファイバ送達アセンブリ５、６を備える広帯域源１０は、第２のファイバ送達アセンブリ２１、２２、２３を交換することなく、交換されることが可能であり、逆も同様である。
【０１３６】
一実施形態では、広帯域源１０および第２のファイバ送達アセンブリ２１、２２、２３が装置に対して組み込まれ、代替的には、第２のファイバ送達アセンブリ２１、２２、２
３が装置に対して組み込まれると共に、広帯域源１０が、コネクタ部材６、２１間の接続を介して装置に対して光を供給するように配置される。そのような装置の例は、顕微鏡、バイオ・イメージング・システム（たとえば、ＯＣＴ、ＳＬＯ、ＳＴＥＤ、ＣＡＲＳ、および光音響システムなど）、アライメントまたはオーバレイ・システム、および製造装置（たとえば、半導体製造装置など）である。本発明のこの実施形態は、広帯域源１０が、サービスに対して容易に切断できること、および／または、たとえば装置の残りの部分から切断することがより難しいことがある第２のファイバ・アセンブリ２１、２２、２３とは独立して、交換され得ることを可能にする。たとえば、本発明の実施形態の広帯域源を構成するスーパーコンティニューム源および第１のファイバ送達アセンブリが、第１のモジュールに含まれることが可能であり、また、第２のファイバ・アセンブリ２１、２２、２３が、第２のモジュール、たとえば、半導体ウエハ・スクライビング・システム内のアライメント・センサなどの一部となる。この例では、本発明は、半導体ウエハ・スクライビング・システムのモジュール構築を可能にする。半導体ウエハ・スクライビング・システムが故障した場合、障害が起きた特定のモジュールにエラーを見つけ出すことができ、このモジュールは、他のモジュールと独立して交換され得る。これは、両方のモジュールを同時に交換した場合に比べて、半導体ウエハ・スクライビング・システムのリスク管理を改善する。
【０１３７】
一実施形態では、第２のファイバ送達アセンブリ２１、２２、２３は、バイオ医療イメージングまたは手術用途に使用される。そのような実施形態の例は、内視鏡検査、大腸内視鏡検査、鼻鏡検査、および気管支鏡検査、ならびに第２の光ファイバの一部が人間または動物の体の内側に入る他の用途を含む。そのような実施形態では、図３に示されるような広帯域源１０は、上述されたように接続部材２１に容易に接続され得る。
【０１３８】
一実施形態では、第２のファイバ送達アセンブリは、使用前に滅菌される。
一実施形態では、第２のファイバ送達アセンブリは使い捨てできる。
図５は、本発明の広帯域源の別の実施形態の概略図である。広帯域システム１０は、上述された通りであってよく、第２の光送達ファイバ・アセンブリ２１、２２、２３は、図４で説明された通りであってよい。
【０１３９】
ファイバ終端ユニット２３は、有利には、サンプル３０に向かって光を集束させるためのコリメータであり、またはこれを備える。
有利には、第２のファイバ送達アセンブリ２１、２２、２３は、装置に組み込まれ、広帯域源１０は、任意選択で、装置内の組込みモジュールとして配置され、コネクタ部材６、２１間の接続を介して装置に対して光を供給するように配置される。源１０は、光検出器３４を備え、または光検出器に光学的に接続され、光学コンポーネント３は、サンプルに反射されファイバ５および２２によりガイドされた光３３の一部分を導くように配置された追加のフィルタ３２を備える。追加のフィルタは、有利にはスプリッタである。
【０１４０】
一実施形態では、送達ファイバ５および第２の光ファイバ２２は、ダブル・クラッド・ファイバである。それにより、サンプルにより反射された光３１の一部分は、第２の光送達ファイバ・アセンブリ２１、２２、２３および第１の送達ファイバ・アセンブリ５、６を介して光検出器に対してガイドされ得る。一実施形態では、送達ファイバ５および第２の光ファイバ２２は、少なくとも０．１、たとえば少なくとも０．１５、たとえば少なくとも０．２２のＮＡを有するクラッドを備える。また、この実施形態では、ファイバ５、２２は、試験中のサンプルから反射されている光３１の一部をガイドする。
【０１４１】
一実施形態では、光学コンポーネント３は、サンプルから反射されファイバ３３によりガイドされた光を、広帯域源からの光の少なくとも一部から分離するための手段を備える。そのような手段は、たとえばビーム・スプリッタ３２である。
【０１４２】
代替実施形態では、たとえば、第１の送達ファイバの入力端においてダブル・クラッド・ファイバ・カプラを提供することによって、スプリッタの代わりにダブル・クラッド・ファイバ・カプラが適用される。ダブル・クラッド・ファイバ・カプラは、有利には、たとえば、カプラの２つのポート上のマルチモード・ダブル・クラッド・ファイバ、および他の２つのポート上のシングル・モード・ダブル・クラッド・ファイバを備える２×２ポート構造、たとえばソーラボ（Ｔｈｏｒｌａｂｓ）により提供されるＤＣ１３００  ＬＥＢなどを有することによって、コアおよびクラッド光を分離するように構成される。原則的に、反射された光の一部または全部が、広帯域源からの光の大部分から分離され得るが任意の他の手段が当業者に分かり得る。
【０１４３】
有利には、反射および分離された光は、光検出器３４、たとえばフォトダイオードまたは分光計などに対して送信される。
図６は、たとえば、光コヒーレンス・トモグラフィ（ＯＣＴ）で使用するため、たとえば、内部組織の可視化のための、干渉計の形態での本発明の装置の実施形態の概略図である。干渉計は、融着カプラ送達ファイバ・アセンブリ１０５ｂ、１０６ｂを備える第１の送達ファイバ・アセンブリ１０５ａ、１０６ａを備え、第１の送達ファイバ・アセンブリ１０５ａ、１０６ａおよび融着カプラ送達ファイバ・アセンブリ１０６ｂがコンポーネント部１００において融着される。干渉計は、広帯域源を備え、広帯域源は、ポンプ・パルスを生成するように動作可能な光ポンプ源１０１ａと、光ポンプ源１０１ａからのポンプ・パルスの供給があると広帯域光パルスを生成するための気孔微細構造光ファイバ１０１ｂと、上述されたような固体介在物を備える送達ファイバ１０５ａおよびやはり上述されたようなコネクタ部材１０６ａを備える第１の送達ファイバ・アセンブリ１０５ａ、１０６ｂとを備える。第１の送達ファイバ・アセンブリ１０５ａ、１０６ａは、有利には上述されたコネクタ部材と同様である送達ファイバ・コネクタ部材１０６ｃと、端部キャップ接続部材１０１ｃとを介して、微細構造光ファイバに接続される。端部キャップ接続部材１０１ｃにおいて、気孔微細構造光ファイバ１０１ｂの数ｍｍ未満に沿った気孔がつぶされ、図示されないレンズにより光ビームがコリメートされる。送達ファイバ・コネクタ部材１０６ｃおよび端部キャップ接続部材１０１ｃは、嵌合スリーブ２０ｃによって嵌合され一緒に保持される。代替実施形態では、気孔微細構造光ファイバ１０１ｂは、接合によって、および／または上述されたようにＧＲＩＮ（グリン）レンズを使用することによって、送達ファイバ１０５に接合される。
【０１４４】
干渉計は、有利には上述された第２のファイバ・アセンブリ２１、２２、２３と同様である第２のファイバ・アセンブリ２１ａ、２２ａ、２３ａを備え、コネクタ部材１０６ａ、２１ａは、嵌合スリーブ２０ａによって接続され一緒に保持される。
【０１４５】
融着カプラ送達ファイバ・アセンブリ１０５ｂ、１０６ｂは、有利には上述された第２のファイバ・アセンブリ２１、２２、２３と同様である第３のファイバ・アセンブリ２１ｂ、２２ｂ、２３ｂに接続され、コネクタ部材１０６ｂ、２１ｂは、嵌合スリーブ２０ｂにより接続され一緒に保持される。干渉計は、ファイバ終端ユニット２３ｂを介して放出された光を反射するように配置されたミラー４０または別の参照ユニットをさらに備える。代替実施形態では、参照ユニットは、装置に含まれないがユーザにより選択され得る。
【０１４６】
融着カプラ送達ファイバ・アセンブリ１０５ｂはさらに、分光計などの検出器１２４に接続される。広帯域源は、当技術分野で周知のような、１つまたは複数の同調可能または同調不能フィルタ、および／またはパルス・ピッカ、１つまたは複数の増幅器を備えてよい。
【０１４７】
一般に、カプラは、光が一方のトップ・アームから他方のトップ・アームへ（または、
ボトム・アームから他方のボトム・アームへ）まっすぐ進むバー・ポートと、光がトップ・アームからボトム・アームへ進むかまたはその逆のクロス・ポートとを有する。しばしば、カプラは非常に低い損失をほぼ有するので、すべての光がバー・ポートまたはクロス・ポートに送られる。この実施形態では、２つのトップ・アームは、コンポーネント部１００の両側で送達ファイバ１０５ａによって提供され、ボトム・アームは、コンポーネント部の両側で送達ファイバ１０５ｂによって提供される。バー・ポートおよびクロス・ポートはコンポーネント部１００によって提供される。バー・ポートはｘの伝送係数を有し、クロス・アームは（１−ｘ）の伝送係数を有する。伝送係数は、カプラがどの方向に横断するかに関わらず、同じである。
【０１４８】
使用中、広帯域光パルスは、送達ファイバ１０５ａに送信され、微細構造光ファイバに最も近い送達ファイバ１０５ａの端部で図にマークされているように、光パルスパワーは、１００％＝「１」に設定される。融着コンポーネント部１００において、光（ｘ）の一部は、さらに送達ファイバ１０５ａを介して送信され、光（１−ｘ）の一部は、さらに融着カプラ送達ファイバ１０５ｂを介して送信される。
【０１４９】
融着コンポーネント部１００から送達ファイバ１０５ａを介して送信された光部分（Ｘ）は、第２のファイバ・アセンブリ２１ａ、２２ａ、２３ａに対してファイバ終端ユニット２３ａを介して送信され、光パルスは、サンプル３０に向かって放出され、反射された光３１ａは、送られた光が融着コンポーネント部１００に達するまで、第２のファイバ２２ａおよび送達ファイバ１０５ａを介して反対方向に送信される。そこから、送られた光の一部分が、さらに融着カプラ送達ファイバ１０５ｂを介して検出器１０４に対して送信される。
【０１５０】
融着コンポーネント部１００から融着カプラ送達ファイバ１０５ｂを介して送信された光部分（１−Ｘ）は、第３のファイバ・アセンブリ２１ｂ、２２ｂ、２３ｂに対してファイバ終端ユニット２３ｂを介して送信され、光パルスは、ミラー４０に向けて放出され、反射された光３１ｂは、送られた光が融着コンポーネント部１００に達するまで、第３のファイバ２２ｂおよび融着カプラ送達ファイバ１０５ｂを介して反対方向に送信される。そこから、送られた光の一部分が、さらに融着カプラ送達ファイバ１０５ｂを介して検出器１０４に対して送信される。有利には、ミラーは、実質的に、それに入射をする光のすべてを反射する。
【０１５１】
説明されたように、干渉計は、２つの干渉計アームを有し、１つは、光をサンプルに対してガイドし、反射された光を再送信し、１つは、光を参照ユニット（たとえばミラー）に対してガイドし、反射された光を再送信する。一実施形態では、一方の干渉計アームは、組織サンプル上に集束され、Ｘ−Ｙ長手方向ラスター・パターンでサンプルを走査するように構成される。他の干渉計アームは、参照ミラーにより跳ね返らされる。
【０１５２】
組織サンプルからの反射された光は、参照からの反射された光と組み合わされる。
図６に示された実施形態で上述されたように、光は、広帯域レーザから進み、カプラのクロス・ポートを通過してミラー４０に達する。光は、ミラーから反射され、カプラのバー・ポートを通って戻って、検出器１２４に達する。反射が無損失と仮定すると、経路全体に対する伝送係数は、２つの伝送係数の積、すなわちｘ（１−ｘ）である。
【０１５３】
図７は、コンバイナを備える本発明の送達ファイバの実施形態の概略図である。
有利には、送達ファイバ１０５ａ、１０５ｂ、２２ａ、２２ｂのすべてが、上述されたように介在物の形態の微細構造を備えるすべて固体のファイバであり、好ましくは、送達ファイバ１０５ａ、１０５ｂ、２２ａ、２２ｂのすべては、２００ｎｍ以上の伝送帯域幅を有し、好ましくは、伝送帯域幅は重なるまたは同一である。
【０１５４】
図７は、別のタイプの干渉計の形態の本発明の装置の実施形態を概略図であり、これは、たとえば、光計測に使用され、たとえば、トランジスタおよび相互接続計測用途の薄膜、ウエハ、光学的限界寸法（ＯＣＤ）、オーバーレイ、およびウエハ応力のためのものである。
【０１５５】
図７の干渉計の部分は、図６の干渉計の対応する部分に類似している。干渉計は、融着スプリッタ送達ファイバ・アセンブリ１０５ｂ、１０６ｂを備える第１の送達ファイバ・アセンブリ１０５ａ、１０６ａを備え、第１の送達ファイバ・アセンブリ１０５ａ、１０６ａおよび融着スプリッタ送達ファイバ・アセンブリ１０６ｂがコンポーネント部１００において融着される。干渉計は、広帯域源を備え、広帯域源は、ポンプ・パルスを生成するように動作可能な光ポンプ源１０１ａと、光ポンプ源１０１ａからのポンプ・パルスの供給があると広帯域光パルスを生成するための微細構造光ファイバ１０１ｂと、上述されたような固体介在物を備える送達ファイバ１０５ａおよびやはり上述されたようなコネクタ部材１０６ａを備える第１の送達ファイバ・アセンブリ１０５ａ、１０６ａとを備える。第１の送達ファイバ・アセンブリ１０５ａ、１０６ａは、サンプル３０ｅおよび参照ユニット４０により反射された反射された光３３の一部分を光検出器３４に向けて導くように配置されたフィルタ３２を介して微細構造光ファイバに接続される。残りの部分は、図７の例と同様である。
【０１５６】
図８は、光を装置に対して供給するのに適したスペクトル・エンジン源を示す。スペクトル・エンジン源は、レーザ・ビーム１２１ａ、１２２ａ、１２３ａをそれぞれ放出する３つのレーザ１２１、２２２、１２３を備える。レーザ・ビーム１２１ａ、１２２ａ、１２３ａは、上述されたように少なくとも１つの波長で互いに異なる。
【０１５７】
レーザ１２１、２２２、１２３は、同じまたは異なるタイプ、たとえば、１つもしくは複数のガス・レーザ、１つもしくは複数の化学レーザ、１つもしくは複数の金属蒸気レーザ、および／または１つもしくは複数の半導体レーザであってよい。
【０１５８】
スペクトル・エンジン源は、マルチプレクサＭをさらに備え、マルチプレクサＭは、ここでは、ビーム１２１ａ、１２２ａ、１２３ａを１つの単一多重化ビームＭに組み合わせるように配置されたいくつかのミラーによって示される。マルチプレクサは、レーザの各々のレーザ・ビームの少なくとも一部分を組み合わせて、受け取られた光を多重化ビームにコリメートすることができる任意の種類のマルチプレクサまたはコンバイナであり得ることを理解されたい。マルチプレクサＭは、本発明のスペクトル・エンジン源の送達ファイバによって受け取られるように十分に近く１２１ａ、１２２ａ、１２３ａをコリメートする。簡単にするため、送達ファイバは、スペクトル・エンジン源に示されていないが、送達ファイバは、多重化ビームＭを収集し、受け取られた多重化ビームＭの少なくとも一部分を装置に対して送達するように配置される。
【０１５９】
図９は、光を装置に対して供給するのに適した別のスペクトル・エンジン源を示す。スペクトル・エンジン源は、レーザ・ビーム１３１ａ、１３２ａ、１３３ａ、１３４ａ、１３５ａをそれぞれ放出する５つのレーザ１３１、２３２、１３３、１３４、１３５を備える。レーザ・ビーム１３１ａ、１３２ａ、１３３ａ、１３４ａ、１３５ａは、少なくとも１つの波長で互いに異なる。たとえば、レーザ・ビーム１３１ａは４００〜５００ｎｍの範囲の波長を備えてよく、レーザ・ビーム１３２ａは５００〜６００ｎｍの範囲の波長を備えてよく、レーザ・ビーム１３３ａは６００〜７００ｎｍの範囲の波長を備えてよく、レーザ・ビーム１３５ａは８００〜９００ｎｍの範囲の波長を備えてよい。
【０１６０】
スペクトル・エンジン源は、マルチプレクサＭをさらに備え、マルチプレクサＭは、こ
こでは、ビーム１３１ａ、１３２ａ、１３３ａ、１３４ａ、１３５ａを１つの単一多重化ビームＭに組み合わせるように配置されたいくつかのミラーによって示される。スペクトル・エンジン源はまた、多重化ビームを受け取り、受け取られた多重化ビームＭの少なくとも一部分を装置に対して送達するための、上述されたような図示されない送達ファイバを備える。
【０１６１】
図１０は、上述されたように、送達ファイバＤＬを有する広帯域源、広帯域源システム、またはスペクトル・エンジン源から選択された光源ＬＳを備える本発明の実施形態の装置を示す。装置は、リソグラフィ装置であり、光源ＬＳの送達ファイバから光を受け取るように配置された照明システム（照明器）ＩＬを備える。照明器ＩＬは、光源ＬＳから受け取られた放射線ビームの角強度分布を調整するための調整器ＡＤを備える。加えて、照明器ＩＬは、インテグレータＩＮおよび集光器ＣＯなど、様々な他のコンポーネントを備えてよい。照明器は、放射線ビームを、その断面に望ましい均一性および強度分布を有するように調整するために使用されてよい。
【０１６２】
放射線ビームＢは、支持構造（たとえばマスク・テーブルＭＴ）上に保持されたパターニング・デバイス（たとえばマスクＭＡ）に入射をして、パターニング・デバイスによってパターン化される。放射線ビームＢは、マスクＭＡを横切った後、基板Ｗの対象部分Ｃ上にビームを集束する投射システムＰＳを通過する。第２のポジショナＰＷおよび位置センサＩＦ（たとえば、干渉計デバイス、リニア・エンコーダ、または容量センサ）を用いることにより、基板テーブルＷＴが正確に移動され、たとえば、そうすることで、放射線ビームＢの経路内に、異なるターゲット部分Ｃを位置決めすることができる。同様に、第１のポジショナＰＭおよび別の位置センサ（図１に明示されていない）は、たとえばマスク・ライブラリからの機械検索の後または走査中に、放射線ビームＢの経路に対してマスクＭＡを正確に位置決めするために使用されることが可能である。一般に、マスク・テーブルＭＴの移動は、第１のポジショナＰＭの一部を形成する長ストローク・モジュール（粗い位置決め）および短ストローク・モジュール（微細な位置決め）を用いることにより実現されてよい。同様に、基板テーブルＷＴの移動は、第２のポジショナＰＷの一部を形成する長ストローク・モジュールおよび短ストローク・モジュールを用いることにより実現されてよい。（スキャナと対照的に）ステッパの場合、マスク・テーブルＭＴは、短ストローク・アクチュエータのみに接続されてよく、または固定されてもよい。マスクＭＡおよび基板Ｗは、マスク・アライメント・マークＭ１、Ｍ２および基板アライメント・マークＰ１、Ｐ２を使用して揃えられ得る。図示された基板アライメント・マークは、専用のターゲット部分を占めるが、ターゲット部分の間のスペースに位置付けられてもよい（これらはスクライブ・レーン・アライメント・マークとして知られている）。同様に、複数のダイがマスクＭＡ上に設けられている状況では、マスク・アライメント・マークはダイ間に位置付けられ得る。この装置は、たとえば、米国特許出願公開第２００７／０１３９２１号明細書に説明されているように動作してよい。
【０１６３】
図１１は、共焦点走査型顕微鏡として具体化される走査型顕微鏡と、上述されたように送達ファイバＤＬを有する広帯域源、広帯域源システム、またはスペクトル・エンジン源から選択された光源ＬＳとを備える、本発明の実施形態の装置を示す。光源ＬＳは、送達ファイバＤＬを介して照明光ビーム２１１を送達する。
【０１６４】
走査型顕微鏡は、ＡＯＴＦ２１５として具体化される音響光学コンポーネント２１３備える。照明光ビーム２１１から選択された光２１２は、音響光学コンポーネント２１３から、ジンバル・マウント走査ミラー１９を含むビーム偏向デバイス１７に到着し、ビーム偏向デバイス１７は、走査光学システム２２１、管光学システム２２３、および対物レンズ２２５を通して、標本２２７上または中へ、照明光ビーム２１１をガイドする。標本から来る検出された光ビーム２２９は、走査光学システム２２１、管光学システム２２３、
および対物レンズ２２５を逆方向に通って移動し、走査ミラー２１９を介して、音響光学コンポーネント２１３に到着し、音響光学コンポーネント２１３は、検出された光ビーム２２９を、マルチバンド検出器として具体化された検出器２３１に伝達する。照明光ビーム２１１は、図面で実線として示され、検出された光ビーム２２９は、破線として示されている。共焦点走査型顕微鏡内に通常設けられる照明ピンホール２３３および検出ピンホール２３５が、網羅性のために概略的に描かれている。しかしながら、より明瞭にするために、光ビームをガイドし成形するためのいくつかの光学要素は省略されている。選ばれる波長スペクトルを選択する役割をする音響光学コンポーネント２１３は、ＡＯＴＦ２１５として構成され、それを音波が通過する。音波は、電気的に作動される圧電音響発生器２３７によって生成される。調整可能なＨＦスペクトルを示す電磁高周波を生成する高周波源２３９によってアクティブ化が達成される。ＨＦスペクトルは、望ましい波長を有する照明光ビーム２１１の部分のみがビーム偏向デバイス２１７に到達するように選ばれる。音響励起に影響されない照明光ビーム２１１の他の部分は、ビーム・トラップ２４１内に導かれる。照明光ビーム２１１のパワー・レベルは、音波の振幅を変化させることにより選択され得る。音響光学コンポーネント２１３の水晶切片および配向は、単一結合方向で、異なる波長が同じ方向に偏向されるように選択される。コンピュータ２４３は、第２または第３の波長スペクトルを選ぶために使用される。コンピュータ２４３のモニタ２４７は、スペクトル構成の表示器の役割をする。波長スペクトルのそのスペクトル組成と一緒の選択は、２つの座標軸Ｘ、Ｙを有する座標系内のグラフＧに基づいて達成される。光の波長は座標軸Ｘでプロットされ、そのパワー・レベルは座標軸Ｙでプロットされる。
【０１６５】
コンピュータ２４３は、ユーザの規定に応じて高周波源２３９を制御する。ユーザは、コンピュータ・マウス２５７を使用して調整を行う。モニタ２４７上にスライダ２５９が示されており、スライダ２５９は、照明光ビーム１１または検出された光ビーム２２９の全体的な光パワー・レベルの調整のための役割をする。
【０１６６】
実施形態は詳細に説明され示されているが、本発明は、それらに限定されず、添付の特許請求の範囲に規定される主題の範囲内で他の手法で具体化されてもよい。特に、本発明の範囲から逸脱することなく、他の実施形態が利用されてもよく、構造的および機能的改変が行われてもよいことを理解されたい。
【図１ａ】
2018527601.tif 000003
【図１ｂ】
2018527601.tif 000004
【図１ｃ】
2018527601.tif 000005
【図１ｄ】
2018527601.tif 000006
【図２】
2018527601.tif 000007
【図３】
2018527601.tif 000008
【図４】
2018527601.tif 000009
【図５】
2018527601.tif 000010
【図６】
2018527601.tif 000011
【図７】
2018527601.tif 000012
【図８】
2018527601.tif 000013
【図９】
2018527601.tif 000014
【図１０】
2018527601.tif 000015
【図１１】
2018527601.tif 000016
【国際調査報告】
2018527601.tif 000017
2018527601.tif 000018